(57)【要約】      （修正有）【課題】データ・パケットに対応したセル電話のような無線ユーザ機器のための、データ・トラフィックに敏感なバッテリ節電アプローチの提供。【解決手段】ＬＴＥアクティブ・モードにある場合、フレキシブルな不連続な送信および受信（ＤＴＸ−ＤＲＸ）を組み込む。非同期ランダム・アクセス・チャネル（ＲＡＣＨ）において、ＵＥデバイス要求がなされる。ＤＲＸの持続時間を延長すること、および、同期アップリンク送信のための要件を低減することによって、干渉を低減し、さらなるタイム・スロットを割り当てる機会をもたらし、約７５％の節電となる。この節電は、制御チャネルのないＶｏＩＰを用いた他のダウンリンク・スケジューリング提案と整合しており、劣悪なラジオ条件におけるＵＥデバイスを対象とする必要はない。ラジオ・リソース制御（ＲＲＣ）シグナリング可能なｅＮｏｄｅＢとインタラクトするレガシーＵＥデバイスも引き続き整合している。【選択図】図１
2014014110.tif 000002
【特許請求の範囲】
【請求項１】
ベース・ノードとのダウンリンク・チャネルでの受信またはアップリンク・チャネルでの送信からなるユーザ機器の不連続な通信を変化させることによって、電力消費を低減する方法であって、
ダウンリンク・チャネルにおいて、ユーザ機器の不連続な通信スケジュールのために、変化された時間間隔を指定することと、
前記変化された時間間隔にしたがって、アップリンク・チャネル・リソースをスケジュールすることと、
前記変化された時間間隔後、前記ユーザ機器によって自動的に戻されるノミナルの時間間隔で、前記ユーザ機器との通信に参加することと
を備える方法。
【請求項２】
前記変化された時間間隔は、ノミナルの不連続な受信サイクルよりも長い時間間隔である請求項１に記載の方法。
【請求項３】
前記変化された時間間隔は、前記ノミナルの不連続な受信サイクルの倍数である請求項２に記載の方法。
【請求項４】
前記ユーザ機器による不連続な送信は、不連続な受信とともに変化される請求項３に記載の方法。
【請求項５】
低いデータ・レート・ダウンリンク・データ送信に応答して、延長されたマイクロスリープを命じ、前記ユーザ機器がデータ送信を復号すると、冗長な再送信を受信することなく、前記延長されたマイクロスリープに入らせることと、
インタリーブされた自動反復要求ダウンリンクの送信および再送信からなるハイブリッドなシーケンスを前記ユーザ機器に送信することと
をさらに備える請求項１に記載の方法。
【請求項６】
フレキシブルなＤＲＸのために構成されていないユーザ機器からのラジオ・リソース制御（ＲＲＣ）シグナリングをモニタすることによって、進行中のノミナルＤＲＸを認識することをさらに備える請求項１に記載の方法。
【請求項７】
前記フレキシブルなＤＲＸの時間間隔を、物理ダウンリンク制御チャネル（ＰＤＣＣＨ）で前記ユーザ機器へ送信することをさらに備える請求項１に記載の方法。
【請求項８】
アップロード・リファレンス信号時間間隔に関するフレキシブルなＤＲＸ時間間隔と、ページング・インジケーション・チャネル（ＰＩＣＨ）時間間隔および物理アップリンク制御チャネル（ＰＵＣＣＨ）時間間隔のためのオフセットとを定義することをさらに備える請求項１に記載の方法。
【請求項９】
フレキシブルなＤＲＸ中、チャネル品質インジケーションを稀にしかレポートしないユーザ機器に対するダウンリンク送信について、オープン・ループ電力制御を実行することをさらに備える請求項１に記載の方法。
【請求項１０】
ベース・ノードとのダウンリンク・チャネルでの受信またはアップリンク・チャネルでの送信からなるユーザ機器の不連続な通信を変化させることによって、電力消費を低減するように構成された少なくとも１つのプロセッサであって、
ダウンリンク・チャネルにおいて、ユーザ機器の不連続な通信スケジュールのために、変化された時間間隔を指定する第１のモジュールと、
前記変化された時間間隔にしたがって、アップリンク・チャネル・リソースをスケジュールする第２のモジュールと、
前記変化された時間間隔後、前記ユーザ機器によって自動的に戻されるノミナルの時間間隔で、前記ユーザ機器との通信に参加する第３のモジュールと
を備える少なくとも１つのプロセッサ。
【請求項１１】
ベース・ノードとのダウンリンク・チャネルでの受信またはアップリンク・チャネルでの送信からなるユーザ機器の不連続な通信を変化させることによって、電力消費を低減するためのコンピュータ・プログラム製品であって、
コンピュータに、ダウンリンク・チャネルにおいて、ユーザ機器の不連続な通信スケジュールのために、変化された時間間隔を指定させるように構成された第１のコード・セットと、
前記コンピュータに、前記変化された時間間隔にしたがって、アップリンク・チャネル・リソースをスケジュールさせるように構成された第２のコード・セットと、
前記コンピュータに、前記変化された時間間隔後、前記ユーザ機器によって自動的に戻されるノミナルの時間間隔で、前記ユーザ機器との通信に参加させるように構成された第３のコード・セットと
を備えるコンピュータ読取可能媒体を備えるコンピュータ・プログラム製品。
【請求項１２】
ベース・ノードとのダウンリンク・チャネルでの受信またはアップリンク・チャネルでの送信からなるユーザ機器の不連続な通信を変化させることによって、電力消費を低減する装置であって、
ダウンリンク・チャネルにおいて、ユーザ機器の不連続な通信スケジュールのために、変化された時間間隔を指定する手段と、
前記変化された時間間隔にしたがって、アップリンク・チャネル・リソースをスケジュールする手段と、
前記変化された時間間隔後、前記ユーザ機器によって自動的に戻されるノミナルの時間間隔で、前記ユーザ機器との通信に参加する手段と
を備える装置。
【請求項１３】
ベース・ノードとのダウンリンク・チャネルでの受信またはアップリンク・チャネルでの送信からなるユーザ機器の不連続な通信を変化させることによって、電力消費を低減する装置であって、
ダウンリンク・ラジオ送信機と、
アップリンク・ラジオ受信機と、
ダウンリンク・チャネルにおいて、ユーザ機器の不連続な通信スケジュールのために、変化された時間間隔を指定し、前記変化された時間間隔にしたがって、アップリンク・チャネル・リソースをスケジュールし、前記変化された時間間隔後、前記ユーザ機器によって自動的に戻されるノミナルの時間間隔で、前記ユーザ機器との通信に参加するスケジューリング構成要素と
を備える装置。
【請求項１４】
前記変化された時間間隔は、ノミナルの不連続な受信サイクルよりも長い時間間隔である請求項１３に記載の装置。
【請求項１５】
前記変化された時間間隔は、前記ノミナルの不連続な受信サイクルの倍数である請求項１４に記載の装置。
【請求項１６】
前記ユーザ機器による不連続な送信は、不連続な受信とともに変化される請求項１５に記載の装置。
【請求項１７】
前記スケジューリング構成要素は、
前記ダウンリンク・ラジオ送信機を用いて、低いデータ・レート・ダウンリンク・データ送信に応答して、延長されたマイクロスリープを命じ、前記ユーザ機器がデータ送信を復号すると、冗長な再送信を受信することなく、前記延長されたマイクロスリープに入らせ、インタリーブされた自動反復要求ダウンリンクの送信および再送信からなるハイブリッドなシーケンスを前記ユーザ機器に送信する請求項１３に記載の装置。
【請求項１８】
前記スケジューリング構成要素は、
フレキシブルなＤＲＸのために構成されていないユーザ機器からのラジオ・リソース制御（ＲＲＣ）シグナリングを前記アップリンク・ラジオ受信機でモニタすることによって、進行中のノミナルＤＲＸを認識する請求項１３に記載の装置。
【請求項１９】
前記ダウンリンク・ラジオ送信機は、前記フレキシブルなＤＲＸの時間間隔を、物理ダウンリンク制御チャネル（ＰＤＣＣＨ）で前記ユーザ機器へ送信する請求項１３に記載の装置。
【請求項２０】
前記スケジューリング構成要素は、
アップロード・リファレンス信号時間間隔に関するフレキシブルなＤＲＸ時間間隔と、ページング・インジケーション・チャネル（ＰＩＣＨ）時間間隔および物理アップリンク制御チャネル（ＰＵＣＣＨ）時間間隔のためのオフセットとを定義する請求項１３に記載の装置。
【請求項２１】
フレキシブルなＤＲＸ中、チャネル品質インジケーションを稀にしかレポートしないユーザ機器に対するダウンリンク送信について、前記ダウンリンク・ラジオ送信機においてオープン・ループ電力制御を実行するように構成された送信電力制御をさらに備える請求項１３に記載の装置。
【請求項２２】
ベース・ノードとのダウンリンク・チャネルでの受信またはアップリンク・チャネルでの送信からなるユーザ機器の不連続な通信を変化させることによって、電力消費を低減する方法であって、
ダウンリンク・チャネルにおいて、ユーザ機器の不連続な通信スケジュールのために、変化された時間間隔を受信することと、
前記変化された時間間隔にしたがって、アップリンク・チャネル・リソースをスケジュールすることと、
前記変化された時間間隔後、ノミナルの時間間隔に自動的に戻すことと
を備える方法。
【請求項２３】
前記変化された時間間隔は、ノミナルの不連続な受信サイクルよりも長い時間間隔である請求項２２に記載の方法。
【請求項２４】
前記変化された時間間隔は、前記ノミナルの不連続な受信サイクルの倍数である請求項２３に記載の方法。
【請求項２５】
前記ユーザ機器による不連続な送信は、不連続な受信とともに変化される請求項２４に記載の方法。
【請求項２６】
低いデータ・レート・ダウンリンク・データ送信に応答して、延長されたマイクロスリープを求める命令を受信することと、
インタリーブされた自動反復要求ダウンリンクの送信および再送信からなるハイブリッドなシーケンスを前記ユーザ機器によって受信することと、
データ送信を復号すると、冗長な再送信を受信することなく、延長されたマイクロスリープに入ることと
をさらに備える請求項２２に記載の方法。
【請求項２７】
フレキシブルなＤＲＸのために構成されていない場合、ラジオ・リソース制御（ＲＲＣ）シグナリングを用いて、前記変化された時間間隔に従っていないことを示す請求項２２に記載の方法。
【請求項２８】
前記ユーザ機器へのフレキシブルなＤＲＸの時間間隔を、物理ダウンリンク制御チャネル（ＰＤＣＣＨ）によって受信することをさらに備える請求項２２に記載の方法。
【請求項２９】
アップロード・リファレンス信号時間間隔に関するフレキシブルな時間間隔と、ページング・インジケーション・チャネル（ＰＩＣＨ）時間間隔および物理アップリンク制御チャネル（ＰＵＣＣＨ）時間間隔のためのオフセットとに対する定義を受信すること
をさらに備える請求項２２に記載の方法。
【請求項３０】
フレキシブルなＤＲＸ中、チャネル品質インジケーションを稀にしかレポートしないユーザ機器に対するダウンリンク送信で、オープン・ループ電力制御を受信することをさらに備える請求項２２に記載の方法。
【請求項３１】
ベース・ノードとのダウンリンク・チャネルでの受信またはアップリンク・チャネルでの送信からなるユーザ機器の不連続な通信を変化させることによって、電力消費を低減するように構成された少なくとも１つのプロセッサであって、
ダウンリンク・チャネルにおいて、ユーザ機器の不連続な通信スケジュールのために、変化された時間間隔を受信する第１のモジュールと、
前記変化された時間間隔にしたがって、アップリンク・チャネル・リソースをスケジュールする第２のモジュールと、
前記変化された時間間隔後、ノミナルの時間間隔に自動的に戻す第３のモジュールとを備える少なくとも１つのプロセッサ。
【請求項３２】
ベース・ノードとのダウンリンク・チャネルでの受信またはアップリンク・チャネルでの送信からなるユーザ機器の不連続な通信を変化させることによって、電力消費を低減するコンピュータ・プログラム製品であって、
コンピュータに対して、ダウンリンク・チャネルにおいて、ユーザ機器の不連続な通信スケジュールのために、変化された時間間隔を受信させるように構成された第１のコード・セットと、
前記コンピュータに対して、前記変化された時間間隔にしたがって、アップリンク・チャネル・リソースをスケジュールさせるように構成された第２のコード・セットと、
前記コンピュータに対して、前記変化された時間間隔後、ノミナルの時間間隔に自動的に戻させるように構成された第３のコード・セットと
を備えるコンピュータ読取可能媒体を備えるコンピュータ・プログラム製品。
【請求項３３】
ベース・ノードとのダウンリンク・チャネルでの受信またはアップリンク・チャネルでの送信からなるユーザ機器の不連続な通信を変化させることによって、電力消費を低減する装置であって、
ダウンリンク・チャネルにおいて、ユーザ機器の不連続な通信スケジュールのために、変化された時間間隔を受信する手段と、
前記変化された時間間隔にしたがって、アップリンク・チャネル・リソースをスケジュールする手段と、
前記変化された時間間隔後、ノミナルの時間間隔に自動的に戻す手段と
を備える装置。
【請求項３４】
ベース・ノードとのダウンリンク・チャネルでの受信またはアップリンク・チャネルでの送信からなるユーザ機器の不連続な通信を変化させることによって、電力消費を低減する装置であって、
アップリンク・ラジオ送信機と、
ダウンリンク・ラジオ受信機と、
ダウンリンク・チャネルにおいて、ユーザ機器の不連続な通信スケジュールのために、変化された時間間隔を受信し、前記変化された時間間隔にしたがって、アップリンク・チャネル・リソースをスケジュールし、前記変化された時間間隔後、前記ユーザ機器によって自動的に戻されるノミナルの時間間隔で、前記ベース・ノードとの通信に参加するスケジューリング構成要素と
を備える装置。
【請求項３５】
前記変化された時間間隔は、ノミナルの不連続な受信サイクルよりも長い間隔である請求項３４に記載の装置。
【請求項３６】
前記変化された時間間隔は、前記ノミナルの不連続な受信サイクルの倍数である請求項３５に記載の装置。
【請求項３７】
前記ユーザ機器による不連続な送信は、不連続な受信とともに変化される請求項３６に記載の装置。
【請求項３８】
前記ダウンリンク・ラジオ受信機は、
低いデータ・レート・ダウンリンク・データ送信に応答して、延長されたマイクロスリープを求める命令を受信し、インタリーブされた自動反復要求ダウンリンクの送信および再送信からなるハイブリッドなシーケンスの前記ユーザ機器によって受信し、前記スケジューリング構成要素は、データ送信を復号すると、冗長な再送信を受信することなく、延長されたマイクロスリープに入る請求項３４に記載の装置。
【請求項３９】
前記フレキシブルなＤＲＸのために構成されていない場合、ラジオ・リソース制御（ＲＲＣ）シグナリングを用いて、前記変化された時間間隔に従っていないことを示す請求項３４に記載の装置。
【請求項４０】
前記ダウンリンク・ラジオ受信機は、前記ユーザ機器への前記フレキシブルなＤＲＸの時間間隔を物理ダウンリンク制御チャネル（ＰＤＣＣＨ）で受信する請求項３４に記載の装置。
【請求項４１】
前記ダウンリンク・ラジオ受信機は、
アップロード・リファレンス信号時間間隔に関するフレキシブルな時間間隔と、ページング・インジケーション・チャネル（ＰＩＣＨ）時間間隔および物理アップリンク制御チャネル（ＰＵＣＣＨ）時間間隔のためのオフセットとに対する定義を受信する
請求項３４に記載の装置。
【請求項４２】
前記ダウンリンク・ラジオ受信機は、
前記ユーザ機器へのダウンリンク送信でオープン・ループ電力制御を受信し、スケジューリング構成要素は、フレキシブルなＤＲＸ中、チャネル品質インジケーションを稀にしかレポートしないアップリンク・ラジオ送信機を利用する請求項２２に記載の装置。
【発明の詳細な説明】
【優先権主張】
【０００１】
本特許出願は、２００７年２月５日に出願され、“A METHOD AND APPARATUS FOR USING FLEXIBLE DTX AND DRX IN A WIRELESS COMMUNICATION SYSTEM”と題され、本願の譲受人に譲渡され、その全体が参照によって本明細書に明確に組み込まれた米国特許仮出願６０／８８８，２７９号の優先権を主張する。
【技術分野】
【０００２】
本記載は、節電のため、モバイル通信デバイスによるラジオ・アクセス・ネットワークとの不連続な送信および受信に関する。
【背景技術】
【０００３】
無線通信システムは、例えば音声、データ等のような様々なタイプの通信コンテンツを提供するために広く開発された。これらのシステムは、利用可能なシステム・リソース（例えば、帯域幅および送信電力）の共有により、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含んでいる。
【０００４】
通常、無線多元接続通信システムは、複数の無線端末のための通信を同時にサポートすることができる。おのおのの端末は、順方向リンクおよび逆リンクによる送信を介して１または複数の基地局と通信する。順方向リンク（すなわちダウンリンク）は基地局から端末への通信リンクを称し、逆方向リンク（すなわちアップリンク）は端末から基地局への通信リンクを称する。この通信リンクは、単一入力単一出力システム、複数入力単数出力システム、あるいは複数入力複数出力（ＭＩＭＯ）システムによって確立されうる。
【０００５】
通信システムでは、ネットワークは、おのおのが１または複数のアクセス端末と通信する幾つかの基地局から構成されうる。ネットワークからの一般的なページング・メッセージは、モバイル端末が存在するであろうとネットワークが判定した基地局のセット（ページング領域）から送られる。ページが送られる領域は、ページング領域と呼ばれる。ページングに必要なネットワーク・リソースは、ページング領域の増加につれて増加する。したがって、ページング領域を最小化することが望ましい。ページング領域は一般に、モバイル端末が現在位置をネットワークに通信する登録に基づいて決定される。
【０００６】
無線通信システムでは、登録は、モバイル端末（すなわち、アクセス端末）がネットワークに対してその位置、状態、ＩＤ、およびその他の特性を通知する処理である。登録処理によって、ネットワークは、アクセス端末をどのようにして発見するかが分かるようになり、到来する音声コールまたはデータ・コールがある場合、アクセス端末をページすることができる。電力（すなわち、バッテリ寿命）を節約するために、アクセス端末は、節電モードに入る。別の方法は、アクセス端末がネットワークに登録する回数を減らすことである。登録動作は、アクセス端末に対して、節電モードを終了し、基地局と通信するためのリソースをセットアップすることを要求する。
【０００７】
従来の方法は、登録の頻度を減らすことによって、節電することを試みる。これは、移動式ではなく固定式であるアクセス端末に対して良好に動作する。しかしながら、アクセス端末は、ネットワーク内で移動しうる（例えば、１つの基地局から別の基地局へ移動する）ので、登録を減らすことは、アクセス端末がページを確実に受信できるように、ネットワークがアクセス端末にページするためのリソースを増やすことに等しい。
【発明の概要】
【０００８】
以下は、開示された局面の幾つかの局面の基本的な理解を与えるための簡略化された概要を示す。この概要は、広範囲な概観ではなく、重要要素や決定的要素を特定することも、そのような局面の範囲を線引きすることも意図されていない。その目的は、後に示されるより詳細な説明に対する前置きとして、説明される特徴の幾つかの概念を、より簡単な形態で表すことである。
【０００９】
１または複数の局面および対応する開示にしたがって、データ送信が頻繁ではない場合、ユーザ機器（ＵＥ）の節電を促進するために、様々な局面が、変化された時間間隔にわたるフレキシブルな不連続ラジオ通信を指示するベース・ノードに関連して説明される。スケジューリングは、変化された時間間隔が経過した後、ＵＥをノミナルの不連続時間に自動的に復帰させることによって簡略化される。
【００１０】
１つの局面では、ベース・ノードとのダウンリンク・チャネルでの受信またはアップリンク・チャネルでの送信からなるユーザ機器の不連続な通信を変化させることによって、電力消費を低減するための方法が提供される。ダウンリンク・チャネルは、ユーザ機器の不連続な通信スケジュールのために、変化された時間間隔について指定される。アップリンク・チャネル・リソースは、変化された時間間隔にしたがってスケジュールされる。変化された時間間隔後、ユーザ機器との通信は、ノミナルの時間間隔に自動的に戻る。
【００１１】
別の局面では、少なくとも１つのプロセッサが、ベース・ノードとのダウンリンク・チャネルでの受信またはアップリンク・チャネルでの送信からなるユーザ機器の不連続な通信を変化させることによって、電力消費を低減するように構成されている。第１のモジュールは、ダウンリンク・チャネルにおいて、ユーザ機器の不連続な通信スケジュールのために、変化された時間間隔を指定する。第２のモジュールは、変化された時間間隔にしたがって、アップリンク・チャネル・リソースをスケジュールする。さらに、第３のモジュールは、変化された時間間隔後、ユーザ機器によって自動的に戻されるノミナルの時間間隔で、ユーザ機器との通信に参加する。
【００１２】
さらなる局面では、ベース・ノードとのダウンリンク・チャネルでの受信またはアップリンク・チャネルでの送信からなるユーザ機器の不連続な通信を変化させることによって、電力消費を低減するためのコンピュータ・プログラム製品が提供される。その目的のために、コンピュータ読取可能媒体は、コンピュータに対して、ダウンリンク・チャネルにおいて、ユーザ機器の不連続な通信スケジュールのために、変化された時間間隔を指定させ、変化された時間間隔にしたがって、アップリンク・チャネル・リソースをスケジュールさせ、変化された時間間隔後、ユーザ機器によって自動的に戻されるノミナルの時間間隔で、ユーザ機器との通信に参加させるように構成されたコードのセットを有する。
【００１３】
さらなる局面では、ベース・ノードとのダウンリンク・チャネルでの受信またはアップリンク・チャネルでの送信からなるユーザ機器の不連続な通信を変化させることによって、電力消費を低減するための装置が提供される。その目的のため、ダウンリンク・チャネルにおいて、ユーザ機器の不連続な通信スケジュールのために、変化された時間間隔を指定する手段が提供される。さらに、変化された時間間隔にしたがってアップリンク・チャネル・リソースをスケジュールする手段が提供される。さらに、変化された時間間隔後、ユーザ機器によって自動的に戻されるノミナルの時間間隔で、ユーザ機器との通信に参加する手段が提供される。
【００１４】
また別の局面では、ベース・ノードとのダウンリンク・チャネルでの受信またはアップリンク・チャネルでの送信からなるユーザ機器の不連続な通信を変化させることによって、電力消費を低減する方法が提供される。ユーザ機器の不連続な通信のスケジュールのために変化された時間間隔は、ダウンリンク・チャネルで受信される。アップリンク・チャネル・リソースは、変化された時間間隔にしたがってスケジュールされる。その後、変化された時間間隔後、ノミナルの通信時間間隔へ戻る。
【００１５】
さらなる局面では、少なくとも１つのプロセッサは、ベース・ノードとのダウンリンク・チャネルでの受信またはアップリンク・チャネルでの送信からなるユーザ機器の不連続な通信を変化させることによって、電力消費を低減するように構成される。その目的のために、ダウンリンク・チャネルにおいて、ユーザ機器の不連続な通信スケジュールのために、変化された時間間隔を受信し、変化された時間間隔にしたがって、アップリンク・チャネル・リソースをスケジュールし、変化された時間間隔後、ノミナルの時間間隔に自動的に戻るモジュールが提供される。
【００１６】
さらなる局面では、ベース・ノードとのダウンリンク・チャネルでの受信またはアップリンク・チャネルでの送信からなるユーザ機器の不連続な通信を変化させることによって、電力消費を低減するコンピュータ・プログラム製品が提供される。その目的のため、コンピュータ読取可能媒体が、コンピュータに対して、ダウンリンク・チャネルにおいて、ユーザ機器の不連続な通信スケジュールのために、変化された時間間隔を受信させ、変化された時間間隔にしたがって、アップリンク・チャネル・リソースをスケジュールさせ、変化された時間間隔後、ノミナルの時間間隔に自動的に戻すように構成されたコードのセットを備えている。
【００１７】
さらなる局面では、ベース・ノードとのダウンリンク・チャネルでの受信またはアップリンク・チャネルでの送信からなるユーザ機器の不連続な通信を変化させることによって、電力消費を低減する装置が提供される。ダウンリンク・チャネルにおいて、ユーザ機器の不連続な通信スケジュールのために、変化された時間間隔を受信する手段が提供される。さらに、変化された時間間隔にしたがって、アップリンク・チャネル・リソースをスケジュールする手段が提供される。さらに、変化された時間間隔後、ノミナルの時間間隔に自動的に戻す手段が提供される。
【００１８】
別の局面では、ベース・ノードとのダウンリンク・チャネルでの受信またはアップリンク・チャネルでの送信からなるユーザ機器の不連続な通信を変化させることによって、電力消費を低減する装置が提供される。ダウンリンク・チャネルにおいて、ユーザ機器の不連続な通信スケジュールのために、変化された時間間隔を受信し、変化された時間間隔にしたがって、アップリンク・チャネル・リソースをスケジュールし、変化された時間間隔後、ユーザ機器によって自動的に戻されたノミナルの時間間隔で、ベース・ノードとの通信に参加するためのスケジューリング構成要素によって、アップリンク・ラジオ送信機およびダウンリンク・ラジオ受信機が利用される。
【００１９】
前述した目的および関連する目的を達成するために、１または複数の局面は、後に十分記載され、特に特許請求の範囲で指摘される特徴を備える。以下の記載および添付図面は、ある例示的な局面をより詳細に述べ、これら局面の原理が適用される様々な方法のうちの幾つかを示す。他の利点および斬新な特徴は、添付図面と連携して考慮された場合に以下の詳細説明から明らかになり、これら開示された局面は、そのような全ての局面およびそれらの等価物を含むことが意図されている。
【００２０】
本開示の特徴、本質、および利点は、全体を通じて同一の参照符号が対応している図面と連携した場合、以下の詳細記述からより明らかになるだろう。
【図面の簡単な説明】
【００２１】
【図１】図１は、通信チャネルを最適化するために、および／または、ＵＥのバッテリ・サービス寿命を延長するために、通信システムのベース・ノードが、ユーザ機器（ＵＥ）に対して、自動復帰および延長されたマイクロスリープを用いて不連続な受信および／または送信を変化させるように指示する方法論のフロー図である。
【図２】図２は、ユーザ機器（ＵＥ）デバイスによるフレキシブルな不連続な送信および受信のための通信システムのブロック図を例示する。
【図３】図３は、図１のｅＮｏｄｅ  ＢとＵＥデバイスとの間のＤＴＸ−ＤＲＸ通信メッセージのタイミング図を例示する。
【図４】図４は、ｅＮｏｄｅ  Ｂに対するＵＥデバイスによるランダム・アクセス・チャネル（ＲＡＣＨ）アップロード要求のタイミング図を例示する。
【図５】図５は、延長されたＤＲＸ時間間隔を設定するｅＮｏｄｅ  ＢによるＬ１／Ｌ２制御チャネルでの送信のためのデータ構造図を例示する。
【図６】図６は、ＵＥデバイスとｅＮｏｄｅ  Ｂとの間のフレキシブルなＤＲＸ通信のためのタイミング図を例示する。
【図７】図７は、フレキシブルなＤＲＸ節電をサポートする次世代パケット・コアおよびレガシー・汎用パケット・ラジオ・サービス（ＧＰＲＳ）を組み込んだ通信システムの図を例示する。
【図８】図８は、フレキシブルなＤＲＸをサポートする１つの局面にしたがった多元接続無線通信システムの図を例示する。
【図９】図９は、フレキシブルなＤＲＸをサポートする通信システムの概要ブロック図を例示する。
【図１０】図１０は、アクセス端末による不連続な送信／受信を制御するためのモジュールを有するアクセス・ノードのブロック図を例示する。
【図１１】図１１は、アクセス・ノードに応答して、不連続な送信／受信を実行するモジュールを有するアクセス端末のブロック図を例示する。
【図１２】図１２は、例示する８つのハイブリッド自動反復要求（ＨＡＲＱ）インタレースを備えたＤＲＸパターンのタイミング図を例示する。
【図１３】図１３は、早期終了スリープ・モードを備えた例示的な８つのＨＡＲＱインタレースによるＤＲＸパターンのタイミング図を例示する。
【図１４】図１４は、非ＤＲＸモードおよびＤＲＸモードの状態図を例示する。
【発明を実施するための形態】
【００２２】
例えば、データ・パケットに対応したセル電話のような無線ユーザ機器（ＵＥ）デバイスのための、データ・トラフィックに敏感なバッテリ節電アプローチは、例えば次世代ベース・ノード（ｅＮｏｄｅ  Ｂ）のような次世代ラジオ・アクセス・ネットワーク（ＲＡＮ）によって指示されたロング・ターム・エボリューション（ＬＴＥ）アクティブ・モードにある場合、フレキシブルな不連続な送信および受信（ＤＴＸ−ＤＲＸ）を組み込む。ＤＲＸの持続時間を延長すること、および、同期アップリンク送信のための要件を低減することによって、干渉を低減し、データのためにさらなるタイム・スロットを割り当てる機会をもたらすのみならず、約７５％の節電となる。この節電は、制御チャネルのないボイス・オーバＩＰ（ＶｏＩＰ）を用いた他のダウンリンク・スケジューリング提案と整合しており、劣悪なラジオ条件におけるＵＥデバイスを対象とする必要はない。ラジオ・リソース制御（ＲＲＣ）シグナリングによってｅＮｏｄｅ  ＢとインタラクトするレガシーＵＥデバイスも引き続き整合する。
【００２３】
図面を参照してさらなる局面が記載される。以下の記載では、説明の目的で、１または複数の完全な理解を提供するために、多くの具体的詳細が述べられる。しかしながら、様々な局面は、これら具体的な詳細無しで実現されうることが明白である。他の事例では、周知の構成およびデバイスが、これら局面の説明を容易にするためにブロック図形式で示される。
【００２４】
本願で使用されるように、用語「構成要素」、「モジュール」、「システム」等は、ハードウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行しているプロセス、プロセッサ、オブジェクト、実行形式、実行スレッド、プログラム、および／または、コンピュータでありうる。例示によって、サーバ上で実行中のアプリケーションとサーバとの両方が構成要素になりうる。１または複数の構成要素が、プロセスおよび／または実行スレッド内に存在することができ、構成要素は、１つのコンピュータに局在化しているか、および／または、２またはそれ以上のコンピュータ間で分散されうる。
【００２５】
「典型的」という用語は、本明細書において、例、事例、または例示となることを意味するために使用される。本明細書で「典型的」と記載される局面または設計は、必ずしも、他の局面または設計よりも好適であるとか有利であるとか解釈される必要はない。
【００２６】
さらに、１または複数のバージョンは、ソフトウェア、ファームウェア、ハードウェア、あるいは、開示された局面をコンピュータに実現するように制御するこれら任意の組み合わせを生成するために、標準的なプログラミングおよび／またはエンジニアリング技術を用いた方法、装置、または製造物品として実現されうる。本明細書で使用される用語「製造物品」（あるいは「コンピュータ・プログラム製品」）は、任意のコンピュータ読取可能デバイス、キャリア、または媒体からアクセス可能なコンピュータ・プログラムを含むことが意図される。例えば、コンピュータ読取可能媒体は、限定される訳ではないが、磁気ストレージ・デバイス（例えば、ハード・ディスク、フロッピー（登録商標）ディスク、磁気ストライプ等）、光ディスク（例えば、コンパクト・ディスク（ＣＤ）、ＤＶＤ等）、スマート・カード、およびフラッシュ・メモリ・デバイス（例えば、カード、スティック）を含みうる。さらに、搬送波は、例えば電子メールの送受信時、あるいは、例えばインターネットやローカル・エリア・ネットワーク（ＬＡＮ）のようなネットワークへのアクセス時に使用されるようなコンピュータ読取可能な電子データを搬送するために用いられうることが認識されるべきである。もちろん、当業者であれば、この構成に対して、多くの修正が、開示された局面のスコープから逸脱せずになされることを認識するだろう。
【００２７】
様々な局面が、多くの構成要素、モジュール等を含むシステムに関して示されるだろう。これら様々なシステムは、追加の構成要素、モジュール等を含むことができ、および／または、図面に関連して説明された構成要素、モジュール等の全てを含む訳ではないことが理解され認識されるべきである。これらのアプローチの組み合わせもまた使用されうる。本明細書で開示された様々な局面は、タッチ・スクリーン・ディスプレイ技術および／またはマウス・キーボード・タイプのインタフェースを利用するデバイスを含む電子デバイス上で実行されうる。そのようなデバイスの例は、コンピュータ（デスクトップおよびモバイル）、スマート・フォン、携帯情報端末（ＰＤＡ）、および、無線と有線の両方であるその他の電子デバイスを含みうる。
【００２８】
先ず図１に示すように、通信システム１０は、ベース・ノード１４によって指示されたようにバッテリ・サービス寿命を有利に延長することができるユーザ機器（ＵＥ）１２を有する。１６に示すように、ＵＥ１２は、受信／送信がスケジュールされていない場合、ある構成要素がスリープ・モードとされうるノミナルの不連続受信（ＤＲＸ）／不連続送信（ＤＴＸ）で動作している。１８に示すように、節電のための時間間隔（すなわち、ＤＲＸおよび／またはＤＴＸ）を変化せよとのコマンドを、ベース・ノード１４から受信すると、ＵＥは、変化されたスケジューリングを採用する。これによって、２０に示すように、フレキシブルなＤＲＸが得られる。この時間間隔の変化は、ノミナルのＤＲＸと比較して、短縮された時間間隔となるであろうことが認識されるべきである。例示的な実施では、ＤＲＸは、延長された時間間隔であり、ノミナルにスケジュールされた受信期間を無視することによって節電を行う。この延長は、ノミナルのＤＲＸ時間間隔の予め定めた倍数、指定された倍数、および／または、その他の指示された時間間隔でありうる。
【００２９】
あるいはまたはそれに加えて、２２に示すように、例えば、ＵＥ１２による次の送信まで時間間隔を延長するようなコマンドが、アップリンク制御チャネル・フィードバック（例えば、チャネル品質インジケータ（ＣＱＩ））を変化させうる。例示的な実施では、ＤＲＸおよびＤＴＸがともに並べられ、ラジオ周波数回路の電源を完全に落とす機会を増やすことによって、節電による利点が最適化される。指示された時間間隔が終了すると、ＵＥ１２は、２６に示すように、ノミナルのＤＲＸ／ＤＴＸへ自動的に戻る。したがって、ベース・ノード１４は、復帰を命ずるために少ないオーバヘッドしか持たず、貧弱な受信状況におけるＵＥ１２をスケジュールするという困難性ももたない。したがって、ＵＥ１２は、２８に示すように、アップリンク制御チャネル・フィードバック（例えば、ＣＱＩ）を実行する。ベース・ノード１４は、この時点で別の時間間隔変化を命ずるか、あるいは、連続的なノミナル・スケジューリングを許可する。
【００３０】
３０に示すように、ベース・ノード１４は、延長されたマイクロスリープを命ずることができる。３２に示すように、ＨＡＲＱを用いた例示的な実施では、複数の通信パケットを正しくダウンロードするために、一連の送信（Ｔｘ）および再送信（ＲｅＴｘ）がなされる。例えばボイス・オーバＩＰ（ＶｏＩＰ）のようなあるタイプの送信の場合、ＵＥ１２は、通信を正しくダウンロードするために、インタリーブされたスケジュールされたダウンロードのおのおのを聴取する必要はなく、ブロック３４に示すように、復号が完了すると、直ちにスリープに戻ることによってマイクロスリープすることができる。
【００３１】
図２に示すように、１つの局面では、通信システム１１０は、次世代ベース・ノード（ｅＮｏｄｅ  Ｂ）１１６のように示される少なくとも１つのラジオ・アクセス・ネットワーク（ＲＡＮ）と、ユーザ機器（ＵＥ）デバイス１１８との間に、フレキシブルなＤＴＸ−ＤＲＸ（不連続送信−不連続受信）節電システム１１４を組み込んだ次世代ユニバーサル・モバイル通信システム（ＵＭＴＳ）地上ラジオ・アクセス・ネットワーク（Ｅ−ＵＴＲＡＮ）１１２を含む。複数入力複数出力（ＭＩＭＯ）通信のための別の範囲内ｅＮｏｄｅ  Ｂ  １２０は、フレキシブルなＤＴＸ−ＤＲＸが可能ではないと示されている。第３のｅＮｏｄｅ  Ｂ  １２２は、ＵＥデバイス１１８の範囲外であると示されている。しかしながら、フレキシブルなＤＴＸ−ＤＲＸを利用しないものの、ラジオ・リソース制御（ＲＲＣ）シグナリングを可能とすることによって、整合するレガシーＵＥデバイス１２４の範囲内であると示されている。
【００３２】
ｅＮｏｄｅ  Ｂ  １１６、１２０、１２２は、ＵＥ１１８、１２４に向けて、ＵＭＴＳ地上ラジオ・アクセス（Ｅ−ＵＴＲＡ）ユーザ・プレーンおよび制御プレーン（ＲＲＣ）プロトコル・ターミネーションを提供する。ユーザ・プレーンは、３ＧＰＰ（第３世代パートナシップ計画）パケット・データ収束プロトコル（ＰＤＣＰ）、ラジオ・リンク制御（ＲＬＣ）、媒体アクセス制御（ＭＡＣ）、および物理レイヤ制御（ＰＨＹ）からなりうる。ｅＮｏｄｅ  Ｂ  １１６、１２０、１２２は、Ｘ２インタフェース（「Ｘ２」）によって、互いに相互接続される。ｅＮｏｄｅ  Ｂ  １１６、１２０、１２２はまた、Ｓ１インタフェース（「Ｓ１」）によってＥＰＣ（イボルブド・パケット・コア）、詳しくは、データ・パケット・ネットワーク１３０に接続されたモビリティ管理エンティティ／サービス提供ゲートウェイ（ＭＭＥ／Ｓ−ＧＷ）１２６、１２８に接続されている。Ｓ１インタフェースは、ＭＭＥ／Ｓ−ＧＷ１２６、１２８と、ｅＮｏｄｅ  Ｂ  １１６、１２０、１２２との間の多対多の関係をサポートする。
【００３３】
ｅＮｏｄｅ  Ｂ  １１６、１２０、１２２は、以下の機能をホストする。ラジオ・リソース管理；ラジオ・ベアラ制御、ラジオ許可制御、接続モビリティ制御、アップリンクおよびダウンリンクの両方（のスケジューリング）におけるＵＥへのリソースの動的割当；ＩＰヘッダ圧縮およびユーザ・データ・ストリームの暗号化；ＵＥ接続点におけるＭＭＥの選択；サービス提供ゲートウェイへのユーザ・プレーン・データのルーティング；（ＭＭＥからの）ページング・メッセージのスケジューリングおよび送信；ブロードキャスト情報のスケジューリングおよび送信；モビリティおよびスケジューリングのための測定および測定レポート構成。
【００３４】
ＭＭＥは、以下の機能をホストする。ｅＮｏｄｅｓ  Ｂ  １１６、１２０、１２２へのページング・メッセージの配信；セキュリティ制御；アイドル状態モビリティ制御；システム・アーキテクチャ・エボリューション（ＳＡＥ）ベアラ制御；非アクセス階層（ＮＡＳ）シグナリングの暗号化および完全性保護。
【００３５】
サービス提供ゲートウェイは、推論のページング、および、ＵＥモビリティのサポートのためのＵプレーンの切換のためのＵプレーン・パケットの以下の機能ターミネーションをホストする。
【００３６】
１３２に示すように、ＵＥデバイス１１８は、フレキシブルなＤＴＸ−ＤＲＸ節電を実行する。アクティブ時間は、ＵＥデバイス１１８がアウェイクしている時である。ＤＲＸがより高いレイヤによって構成される場合、このアクティブ時間は、「オン持続」期間１３４を含む。「オン持続」期間は、ＤＲＸ非アクティビティ・タイマが時間切れになっていない間にＵＥが物理ダウンリンク制御チャネル（ＰＤＣＣＨ）１３６を連続的にモニタしている時間であり、ＤＲＸ再送信タイマが時間切れになっていない間にＵＥデバイス１１８がＰＤＣＣＨを連続的にモニタしている時間である。
【００３７】
ＤＲＸ非アクティビティ・タイマは、ＵＥデバイス１１８のための初期アップロード（ＵＬ）またはダウンロード（ＤＬ）ユーザ・データ送信を示すＰＤＣＣＨを正しく復号した後に、ＵＥデバイス１１８がＰＤＣＣＨ１３６をモニタする連続した送信時間間隔（ＴＩＩ）の数を指定する。ＤＲＸ再送信タイマは、ＤＬ再送信がＵＥデバイス１１８によって期待されると、ＵＥデバイス１１８がＰＤＣＣＨ１３６をモニタする連続ＴＴＩの数を指定する。１３８に示すＤＲＸサイクルは、１４０に示される非アクティビティ期間（「ＤＲＸの機会」）が後続するオン持続期間１３４の周期的反復を指定する。ＤＲＸショート・サイクル・タイマは、ＤＲＸ非アクティビティ・タイマが時間切れになった後に、短いＤＲＸサイクルに続く連続ＴＴＩの数をＵＥデバイス１１８が指定するパラメータである。ハイブリッド自動反復要求（ＨＡＲＱ）ラジオ送信技術（ＲＴＴ）タイマは、ＤＬ  ＨＡＲＱ再送信がＵＥデバイス１１８によって期待される前のＴＴＩの最小量を指定するパラメータである。オン持続時間タイマは、可能な割当を求めてＵＥ１１８がＰＤＣＣＨ１３６をモニタする間の連続ＴＴＩの数を指定する。オン持続時間タイマは、ＤＲＸサイクル１３８の一部である。ランダム・アクセス応答メッセージが送信される場合、ランダム・アクセス・ラジオ・ネットワーク・テンポラリ識別子（ＲＡ−ＲＮＴＩ）は、ＰＤＣＣＨ１３６で使用することができる。ＲＡ−ＲＮＴＩは、ランダム・アクセス・プリアンブルを送信するために、ＵＥデバイスによって、どの時間−周波数リソースが利用されるべきかを明白に識別する。
【００３８】
ＵＥデバイス１１８がアイドル・モードから出た場合、ＵＥデバイス１１８は、有利なことに、同期化される必要のないパケット・ランダム・アクセス・チャネル（ＰＲＡＣＨ）１４２でランダム・アクセス・メッセージを送信する。この機能は、アップロード要求を行うために、延長されたＤＲＸによって同期が失われる少数の事例において適用される。それは、制御チャネルのないＶｏＩＰチャネル１４４がフレキシブルなＤＴＸ−ＤＲＸによってサポートされる本開示の利益を伴うことが認識されるべきである。１４６に示すように、フレキシブルなＤＴＸ−ＤＲＸ  ＵＥデバイス１１８が、フレキシブルなＤＲＸをサポートしないｅＮｏｄｅ  Ｂ  １２０と通信するのであれば、ＵＥデバイス１１８は未だに通常の節電の利益を実現することができる。
【００３９】
図３では、“ＲＲＣ＿ＣＯＮＮＥＣＴＥＤ状態”中、ＵＥデバイス２０２とｅＮｏｄｅ  Ｂ  ２０４との間のタイミング図２００が、２０６におけるＵＥデバイス２０２による受信と、２０８におけるＵＥデバイス２０２による送信とを示している。受信２０６は、ｅＮｏｄｅ  Ｂ  ２０４からの距離に関するチャネル経路遅延に適合するチャネル品質識別子（ＣＱＩ）オフセットにより、送信２０８に対して遅れる。受信２０６は、“ＤＲＸ”の３倍の期間続き、ＰＤＣＣＨがモニタされる“Ｎｏ  ＤＲＸ”期間が繰り返される。同様に、送信２０８は、ＤＲＸサイクル（オン期間およびオフ期間）とＵＬ送信パターンとを再構築するためにＤＲＸインジケータ・チャネル（ＤＩＣＨ）が使用される“Ｎｏ  ＤＴＸ”期間が繰り返される。おのおのの期間中、ｅＮｏｄｅ  Ｂ  ２０４は、同期を維持するために、Ｌ１／Ｌ２制御送信およびＤＬ同期チャネル（ＤＬ−ＳＣＨ）送信をＵＥデバイス２０２へ送る。Ｌ１はレイヤ１（物理レイヤ）を称し、Ｌ２はレイヤ２（データ・リンク・レイヤ）を称し、Ｌ３はレイヤ３（ネットワーク・レイヤ）を称することが認識されるべきである。ＤＲＸとＤＴＸとがオーバラップする期間中、ＵＥデバイス２０２は、バッテリを顕著に節約するために、そのラジオ周波数（ＲＦ）回路の電源をオフする機会を持つ。ＤＲＸまたはＤＴＸのみが実行されているオーバラップしない領域中では、無視できない省電力が可能である。したがって、ダウンロード電力制御リソースは、ｅＮｏｄｅ  Ｂ  ２０４によって構築可能なＰＤＣＣＨ内に含まれる。
【００４０】
ＵＬ電力制御は、例えば、物理アップリンク制御チャネル（ＰＵＣＣＨ）で送られるチャネル品質インジケータと、ＤＲＸインジケータ・チャネル（ＤＩＣＨ）を用いた毎秒５０−２００ビットの妥当なレートのような定期的なＵＬリファレンス信号を必要としうる。これは、ＵＥデバイス１０２によって電力が消費されることを意味する。しかしながら、適切な電力制御が可能または望まれるのであれば、ＤＲＸインジケータ・チャネル（ＤＩＣＨ）およびＰＵＣＣＨのみが構成される限り、機会がある。これは、劣悪な電力制御により、タイミング調節をサポートするＤＲＸインジケータ・チャネル（ＤＩＣＨ）およびＰＵＣＣＨを構成することは望ましくないであろうということになる。代わりに、ＵＬリファレンス信号が希にしか送られないのであれば、オープン・ループ電力制御が適用されうる。
【００４１】
タイミング調節は、同期を失うことなく、大きなＤＲＸサイクルからなる多くの事例において延期されうる。万一、同期が失われれば、専用ＵＬスロットが、好ましくないほど離れている（すなわち、遅延をもたらす）か、および／または、好ましくないほど大きなオーバヘッドを構成するので、同期していないＲＡＣＨによって、アップロード（ＵＬ）要求が未だに可能である。これを念頭において、図３の基本的なＤＴＸ−ＤＲＸは、ＵＥ要求がＵＥデバイス２０２によって開始されるべきである場合、遅延／オーバヘッドによる欠点なく、さらなる節電がなされうる。したがって、単一のＵＥ状態は、様々なデータ・トラフィック条件についてフレキシブルに構成されうる。
【００４２】
１つのフレキシブルな構成は、短いＤＲＸ間隔（例えば、＜２０ミリ秒）についてであろう。ｅＮｏｄｅ  Ｂ  ２０４は、ＤＲＸインジケータ・チャネル（ＤＩＣＨ）およびＰＵＣＣＨを構成する。ＵＥデバイス２０２によるＵＬ要求が、ＰＵＣＣＨを介して送信される。この規則は、ＰＵＣＣＨでＵＬ要求を送信するためにＵＥデバイスを最大２０ミリ秒待機させることによって実施されるか、あるいは、図４に示すＲＡＣＨ手順２１０を利用しなければならない。ＵＥデバイス２０２は、２１２に示すように、ランダム・アクセス・プリアンブルをｅＮｏｄｅ  Ｂ  ２０４へ送る。ｅＮｏｄｅ  Ｂ  ２０４は、２１４に示すように、ランダム・アクセス応答をもって応答する。ＵＥデバイス２０２は、２１６において、ＲＲＣ接続要求を行う。それに対してｅＮｏｄｅ  Ｂ  ２０４は、２１８に示すように、通信を容易にするために、ＲＲＣコンテンション・リゾリューション／コネクション・セットアップ・メッセージを提供する。
【００４３】
別のフレキシブルな構成は、長いＤＲＸ間隔（例えば、＞２０ミリ秒）についてのものでありうる。ここでは、ｅＮｏｄｅ  Ｂ  ２０４は、ＵＬチャネルを構成しない。万一同期が失われれば、ＲＡＣＨでＵＬ要求が送信されうる。このＵＬ要求はメッセージ３でなされる。ＲＲＣ測定レポート・メッセージの送信後、次のＵＬ要求のためのメッセージ２およびメッセージ４を受信するために、ＵＥによって仮定されるノミナルのＤＲＸサイクルは、ＲＡＣＨ手順２１０をサポートする。これは、ＲＲＣハンドオーバ（ＨＯ）コマンドをタイムリーに受信できることを含む。クローズド・ループ電力制御方法の場合、ＵＥデバイス２０２は、ＤＲＸインジケータ・チャネル（ＤＩＣＨ）、ＰＵＣＣＨ、および、暗黙的にＤＲＸインジケータ・チャネル（ＤＩＣＨ）に関連していないのであればＰＵＣＣＨにおけるＤＬ電力制御リソース、に関するメッセージ４内の設定情報を利用する。
【００４４】
別のフレキシブルな設定は、タイマ・メカニズムに基づいてＤＲＸサイクルを増加させることを含む。ｅＮｏｄｅ  Ｂ  ２０４は、設定可能な時間長さの間、ＵＥデバイス２０２に何れのデータも送らない。タイマ終了前後の時間間隔は、予め設定可能である。ＵＥデバイス２０２は、割り当てられたＤＲＸインジケータ・チャネル（ＤＩＣＨ）リソースおよびＰＵＣＣＨリソースを暗黙的に解放する。ｅＮｏｄｅ  Ｂ  ２０４は、複数のＵＥデバイス２０２間のＵＬ衝突および電力制御に対する無益なインパクトを回避するために、これらのリソースがいつ暗黙的にリリースされかたを判定するために、保守的な測定に依存する。ｅＮｏｄｅ  Ｂ  ２０４は、明示的なＲＲＣシグナリングを送信する。
【００４５】
図５に示すように、Ｌ１／Ｌ２制御チャネル構造２３０を用いることによって、フレキシブルなＤＲＸが強化される。ビットマップ２３２は、ページされたページング・グループを示す。セル・ラジオ・ネットワーク・テンポラリ識別子（Ｃ−ＲＮＴＩ）の代わりであるページング・インジケーション・チャネル（ＰＩＣＨ）識別子は、２３４に示すように、巡回冗長符号（ＣＲＣ）における排他的論理和（ＸＯＲ）でありうる。可能なＤＬ−ＳＣＨリソースおよび変調および符号化スキーム（ＭＣＳ）が、ブロードキャスト・チャネル（ＢＣＨ）上に示されうる。
【００４６】
フレキシブルなＤＲＸでは、Ｃ−ＲＮＩＴの代わりに使用されるグループＩＤを備えたＰＩＣＨのような送信データ構造が利用される。ＵＥデバイスに関連するビットマップは、延長されたＤＲＸが、対応するＵＥデバイスに適切であるかを示すインジケーションを与える。２状態ＤＲＸ設定（すなわち、ノミナルおよび延長されたＤＲＸ時間間隔）の局面では、１ビット制御インジケーション（すなわち、０および１）は、ＲＲＣによって指定された延長されたＤＲＸ時間間隔の仕様を満足する。増加したＤＲＸ時間間隔オプションのために追加のビットが利用されうる。
【００４７】
図６では、延長された期間についてＤＬスケジューリングが期待されないので、ＵＥデバイス２０２は、ｅＮｏｄｅ  Ｂ  ２０４によって通信された受信１０６において、延長ＤＲＸサイクルに入っている。したがって、ＵＥデバイス２０２の送信側２０８は、ＤＲＸインジケータ・チャネル（ＤＩＣＨ）およびＣＱＩがｅＮｏｄｅ  Ｂ  ２０４に通信されるように、Ｎｏ  ＤＴＸが示される第１のサイクルにおける４つの５ミリ秒ブロックのうちの最初を含む。その後、ＵＥデバイスは、このサイクルの残りの３ブロックのＤＴＸに入り、これによって、ＵＥデバイス２０２は、同期を維持できなくなる。次のＮｏ  ＤＴＸブロック中、別のＤＴＸ期間が後に続くＤＲＸインジケータ・チャネル（ＤＩＣＨ）において部分送信のみがなされ、ＣＱＩを省略する。受信側２０６では、示された最初のＮｏ  ＤＲＸ期間が、Ｌ１／Ｌ２制御およびＤＬ−ＳＣＨを含み、延長されたＤＲＸが示される。ＵＥデバイス２０２は、示されたＮｏ  ＤＲＸサイクルの何倍かが到着するまで、延長されたＤＲＸ状態にあり、節電を実現することができる。これは、ＵＥデバイスが、ノミナルＤＲＸサイクルに戻るように命令される事例であるとして示される。
【００４８】
したがって、フレキシブルなＤＲＸ時間間隔は、トラフィック特性を調節して、非アクティブな期間中、延長されたＤＲＸ時間間隔に戻り、アクティブ期間中であっても、ＤＲＸを可能にする（例えば、バンドルされたＶｏＩＰは、例えば、５ミリ秒のインスタンスでＨＡＲＱを同期させるための５ミリ秒と同様に、ノミナル（通常の）ＤＲＸ時間間隔を用いて４０ミリ秒毎のスケジューリングが可能となる）。
【００４９】
ノミナルのＤＲＸ時間間隔設定を持つことにより、ＵＥデバイスがＬ１／Ｌ２制御チャネル・ビットマップを復号しない事例についてロバストさを与える。したがって、極めて劣悪なラジオ条件におけるＵＥデバイスを対象とする必要性はない。なぜなら、バッテリ・サービス寿命の短縮を伴う節電の最適化が低減されるからである。他の代替例と比較して、少ないＤＬオーバヘッドしか必要とされないことが認識されるべきである。このフレキシブルなＤＲＸ節電アプローチは、制御チャネルのないＶｏＩＰと同様に、動的なスケジュールと整合する。実施は、各ｅＮｏｄｅ  Ｂにおいてオプションである。ＵＥデバイスは、ＲＲＣアクノレッジメント（整合性のためにＵＥデバイスをクラッシュしないレイヤ２アクノレッジメント）の送信を可能にすることによって、ＲＲＣシグナリングをサポートすることのみ必要である。ＵＥデバイスは、Ｌ１／Ｌ２制御チャネル・メッセージの受信に関し、フレキシブルなＤＲＸに従う必要はない。
【００５０】
処理オーバヘッドの推定として、５ＭＨｚシステム、２０ミリ秒延長ＤＲＸサイクル、および、ビットマップ毎に３２個のＵＥデバイスをサポートする４８ビットＬ１／Ｌ２制御チャネルを備えた実施を考慮されたい。１／３の符号レートで、１４４個のシンボルあるいは７２個のトーンが実現されうる。さらに、ＵＥデバイスの約９０％を対象とするために、−３ｄＢのトーン毎に要求される信号対雑音および干渉比（ＳＮＩＲ）を考慮されたい。Ｌ１／Ｌ２制御チャネル毎のオーバヘッドは、１／（１４×４×２０）＝０．１％である。したがって、１６０個のＵＥデバイスについてオーバヘッドは約０．５％であり、３２０個のＵＥデバイスについてオーバヘッドは約１％であり、４８０個のＵＥデバイスについてオーバヘッドは約１．５％であることが示されうる。
【００５１】
５ミリ秒再送信を持つ制御チャネルのないモードでの、２０ミリ秒の延長されたＤＲＸサイクルを考慮されたい。ＤＲＸ節電は、データがスケジュールされていない２０ミリ秒間得られる。したがって、フレームのバンドリング無しで約５０％であり、フレームのバンドリング有りで約７５％である。ＵＥデバイスが、４つのスロットのうちの１つのみで（すなわち、５ミリ秒ではなく２０ミリ秒毎に）アウェイクしていると仮定すると、動的なＤＲＸサイクルが、受信による電力消費を７５％低減する。送信電力消費を考慮しないＤＲＸによる全節電量は、フレームのバンドリング無しで約３７％であり、フレームのバンドリング有りで約５６％である。
【００５２】
さらに、ＤＬ−ＳＣＨがスケジュールされない場合、フレキシブルなＤＲＸ節電が、２０ミリ秒間隔で得られる。ＰＵＣＣＨをゲートオフし、干渉を低減することで、ＤＲＸインジケータ・チャネル（ＤＩＣＨ）が送信されるや否や、ＵＥデバイスをスリープに移行させる機会がある。フレキシブルなＤＴＸによって、ＰＵＣＣＨスロットが、データのために再使用されうる。チャネル品質インジケータがアップリンク共有チャネル（ＵＬ−ＳＣＨ）にマップされる場合、ｅＮｏｄｅ  Ｂにおけるブラインド復号が実行されうる。
【００５３】
遅延によるインパクトを考慮すると、フレキシブルなＤＴＸ−ＤＲＸは、ＶｏＩＰサービスについて特に利点を持つ。非アクティブ期間中、新たな到着が、延長されたＤＲＸ期間の１／２まで遅れる。これは、平均して、一般に１０ミリ秒であり、一般に５ミリ秒であるノミナルＤＲＸ期間の１／２よりも大きい。多くの実施について、このさらなる遅れは、特に、節電およびその他の利点を実現するためには重要ではない。この遅れは、オーバヘッドを２倍にすることにより、半分に減らすことができる。フレキシブルなＤＴＸ−ＤＲＸは、その他のトラフィックに利用可能であることが認識されるべきである。
【００５４】
図７では、別の局面において、図２の通信システム１１０を包含する通信システム３００が、インタフェースＳ４を介して次世代パケット・コア３０２をレガシー汎用パケット・ラジオ・サービス（ＧＰＲＳ）コア３０４とインタフェースすることをサポートすることを含む。ＧＰＲＳコア３０４のサービス提供サポート・ノード（ＳＧＳＮ）３０６は、Ｇｂインタフェースによってモバイル通信用グローバル・システム（ＧＳＭ（登録商標））／エッジ・ラジオ・アクセス・ネットワーク（ＧＥＲＡＮ）３０８へ、ｌｕインタフェースによってＵＴＲＡＮ３１０へインタフェースしている。Ｓ４は、インター・アクセス階層アンカー（ＩＡＳＡ）３１４の３ＧＰＰアンカー３１２と、ＧＰＲＳコア３０４との間の関連する制御およびモビリティ・サポートをユーザ・プレーンに提供し、ＳＧＳＮ３０６とゲートウェイＧＰＲＳサービング／サポート・ノード（ＧＧＳＮ）（図示せず）との間で定義されたＧｎ基準点に基づく。ＩＡＳＡ３１４はまた、関連する制御およびモビリティ・サービスをユーザ・プレーンに提供するＳ５ｂインタフェースによって、３ＧＰＰアンカー３１２にインタフェースされたシステム・アーキテクチャ・エボリューション（ＳＡＥ）アンカー３１６を含む。３ＧＰＰアンカー３１２は、インタフェースＳ５ａを経由してＭＭＥ  ＵＰＥ３１８と通信する。モビリティ管理エンティティ（ＭＭＥ）は、ページング・メッセージの１または複数のｅＮｏｄｅ  Ｂへの配信に関係しており、ユーザ・プレーン・エンティティ（ＵＰＥ）は、ユーザ・データ・ストリームの暗号化およびＩＰヘッダ圧縮と、推論をページするためのＵプレーン・パケットの終了と、ＵＥモビリティのサポートのためのＵプレーンの切換とに関する。ＭＭＥ  ＵＰＥ３１８は、ＵＥデバイス３２２との無線通信のために、インタフェースＳ１を経由して次世代ＲＡＮ３２０と通信する。
【００５５】
Ｓ２ｂインタフェースは、無線ローカル・アクセス・ネットワーク（ＷＬＡＮ）アクセス・ネットワーク（ＮＷ）３２８を含むＷＬＡＮ  ３ＧＰＰ  ＩＰアクセス構成要素３２６の次世代パケット・データ・ゲートウェイ（ｅＰＤＧ）３２４と、ＳＡＥアンカー３１６との間の関連する制御およびモビリティ・サポートをユーザ・プレーンに提供する。ＳＧｉインタフェースは、インターＡＳアンカー３１６と、パケット・データ・ネットワーク３３０との間の基準点である。パケット・データ・ネットワーク３３０は、例えば、ＩＰマルチメディア・サブシステム（ＩＭＳ）サービスのプロビジョンのためのイントラ・オペレータ・パケット・データ・ネットワーク、オペレータ外部の公衆パケット・データ・ネットワークまたはプライベート・パケット・データ・ネットワークでありうる。このＳＧｉ基準点は、Ｇｉ機能およびＷｉ機能に対応し、あらゆる３ＧＰＰアクセス・システムおよび非３ＧＰＰアクセス・システムをサポートする。Ｒｘ＋インタフェースは、パケット・データ・ネットワーク３３０と、ポリシーおよび課金ルール機能（ＰＣＲＦ）３３２との間の通信を提供する。一方、ＰＣＲＦ３３２は、インタフェースＳ７を経由して次世代パケット・コア３０２と通信する。Ｓ７インタフェースは、ＰＣＲＦ３３２からポリシーおよび課金実施ポイント（ＰＣＥＦ）（図示せず）へサービス品質（ＱｏＳ）ポリシーおよび課金ルールの転送を提供する。Ｓ６インタフェース（つまり、ＡＡＡインタフェース）は、次世代パケット・コア３０２をホーム加入者サービス（ＨＳＳ）３３４へインタフェースすることによって、ユーザ・アクセスを認証／許可するために、加入および認証データの転送を可能にする。Ｓ２ａインタフェースは、信頼できる非３ＧＰＰ  ＩＰアクセス３３６とＳＡＥアンカー３１６との間の関連する制御およびモビリティ・サポートをユーザ・プレーンに提供する。
【００５６】
無線通信システムは、例えば音声、データ等のような様々なタイプの通信コンテンツを提供するために広く展開されていることが認識されるべきである。これらのシステムは、利用可能なシステム・リソース（例えば、帯域幅および送信電力）を共有することによって、複数のユーザとの通信をサポートすることができる。そのような多元接続システムの一例は、符号分割多元接続（ＣＤＭＡ）システム、時分割多元接続（ＴＤＭＡ）システム、周波数分割多元接続（ＦＤＭＡ）システム、３ＧＰＰ  ＬＴＥシステムおよび直交周波数分割多元接続（ＯＦＤＭＡ）システムを含んでいる。
【００５７】
一般に、無線多元接続通信システムは、複数の無線端末のための通信を同時にサポートすることができる。端末はそれぞれ、順方向リンクおよび逆方向リンクでの送信によって１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは、複数入力複数出力（ＭＩＭＯ）システムによって確立されうる。
【００５８】
ＭＩＭＯシステムは、データ送信のために、複数（ＮＴ個の）送信アンテナと、複数（ＮＲ個の）受信アンテナとを利用する。ＮＴ個の送信アンテナおよびＮＲ個の受信アンテナによって形成されるＭＩＭＯチャネルは、空間チャネルと称されるＮＳ個の独立したチャネルへ分割されうる。ここで、ＮＳ≦ｍｉｎ｛ＮＴ、ＮＲ｝である。ＮＳ個の独立チャネルのおのおのは、ディメンションに相当する。ＭＩＭＯシステムは、複数の送信アンテナおよび受信アンテナによって生成された追加ディメンションが利用される場合、改善された性能（例えば、より高いスループットおよび／またはより高い信頼度）を与える。
【００５９】
ＭＩＭＯシステムは、時分割デュプレクス（ＴＤＤ）システムおよび周波数分割デュプレクス（ＦＤＤ）システムをサポートする。ＴＤＤシステムでは、順方向リンク送信および逆方向リンク送信が同じ周波数領域にあり、この相互原理によって、逆方向リンク・チャネルから順方向リンク・チャネルを推定することが可能となる。これによって、アクセス・ポイントは、アクセス・ポイントにおいて複数のアンテナが利用可能である場合、順方向リンクにおける送信ビームフォーミング利得を抽出することが可能となる。
【００６０】
図８に示すように、１つの局面にしたがう多元接続無線通信システムが例示される。アクセス・ポイント３５０（ＡＰ）は、１つのグループが３５４および３５６を含み、別のグループが３５８および３６０を含み、さらに別のグループが３６２および３６４を含む複数のアンテナ・グループを含んでいる。図８では、おのおののアンテナ・グループについて２つのアンテナしか示されていないが、おのおののアンテナ・グループについて、それより多くまたはそれより少ないアンテナも適用されうる。アクセス端末３６６（ＡＴ）は、アンテナ３６２、３６４と通信している。ここで、アンテナ３６２、３６４は、順方向リンク３７０によってアクセス端末３６６へ情報を送信し、逆方向リンク３６８によってアクセス端末３６６から情報を受信する。アクセス端末３７２は、アンテナ３５６、３５８と通信しており、アンテナ３５６、３５８は、順方向リンク３７６によってアクセス端末３７２へ情報を送信し、逆方向リンク３７４によってアクセス端末３７２から情報を受信する。ＦＤＤシステムでは、通信リンク３６８、３７０、３７４、３７６は、通信のために異なる周波数を使用することができる。例えば、順方向リンク３７０は、逆方向リンク３６８によって使用されるものとは異なる周波数を用いる。
【００６１】
通信するために設計されているおのおののアンテナ・グループおよび／または領域はしばしば、アクセス・ポイントのセクタと称される。局面では、アンテナ・グループはそれぞれ、アクセス・ポイント３５０によってカバーされる領域のセクタ内のアクセス端末と通信するために設計される。
【００６２】
順方向リンク３７０、３７６による通信している場合、アクセス・ポイント３５０の送信アンテナは、異なるアクセス端末３６６、３７２の順方向リンクの信号対雑音比を改善するために、ビームフォーミングを利用する。さらに、有効範囲にわたってランダムに散在するアクセス端末へ送信するためにビームフォーミングを利用するアクセス・ポイントによって、単一アンテナによって全てのアクセス端末へ送信しているアクセス・ポイントよりも、近隣セル内のアクセス端末への干渉を少なくする。
【００６３】
アクセス・ポイントは、端末と通信するために使用される固定局であることができ、アクセス・ポイント、ｅＮｏｄｅ  Ｂ、またはその他幾つかの用語で称されうる。アクセス端末はまた、アクセス端末、ユーザ機器（ＵＥ）、無線通信デバイス、端末、アクセス端末、またはその他幾つかの用語で称されうる。
【００６４】
図９は、ＭＩＭＯシステム４００における送信機システム４１０（アクセス・ポイントとしても知られている）と受信機システム４５０（アクセス端末としても知られている）の局面のブロック図である。送信機システム４１０では、多くのデータ・ストリームのトラフィック・データが、データ・ソース４１２から送信（ＴＸ）データ・プロセッサ４１４へと提供される。
【００６５】
局面では、おのおののデータ・ストリームが、それぞれの送信アンテナによって送信される。ＴＸデータ・プロセッサ４１４は、符合化されたデータを提供するために、そのデータ・ストリームについて選択された特定の符合化スキームに基づいて、データ・ストリームおのおののトラフィック・データをフォーマットし、符号化し、インタリーブする。
【００６６】
おのおののデータ・ストリームの符合化されたデータは、ＯＦＤＭ技術を用いて、パイロット・データと多重化されうる。パイロット・データは、一般に、周知の方式で処理される既知のデータ・パターンであり、チャネル応答を推定するために受信機システムにおいて使用されうる。おのおののデータ・ストリームの多重化されたパイロットおよび符号化されたデータは、その後、変調シンボルを提供するためにそのデータ・ストリームについて選択された特定の変調スキーム（例えば、ＢＰＳＫ、ＱＳＰＫ、Ｍ−ＰＳＫ、またはＭ−ＱＡＭ）に基づいて変調（すなわち、シンボル・マップ）される。おのおののデータ・ストリームのデータ・レート、符合化、および変調は、プロセッサ４３０によって実行される命令群によって決定されうる。
【００６７】
すべてのデータ・ストリームの変調シンボルはその後、（例えば、ＯＦＤＭのために）これら変調シンボルを処理するＴＸ  ＭＩＭＯプロセッサ４２０へ提供される。ＴＸ  ＭＩＭＯプロセッサ４２０はその後、ＮＴ個の変調シンボル・ストリームをＮＴ個の送信機（ＴＭＴＲ）４２２ａ乃至４２２ｔへ提供する。ある実施では、ＴＸ  ＭＩＭＯプロセッサ４２０は、ビームフォーミング重みを、データ・ストリームのシンボルと、そのシンボルが送信されるアンテナとに適用する。
【００６８】
おのおのの送信機４２２は、それぞれのシンボル・ストリームを受信して処理し、１または複数のアナログ信号を提供する。さらに、これらアナログ信号を調整（例えば、増幅、フィルタ、およびアップコンバート）して、ＭＩＭＯチャネルによる送信に適した変調信号が提供される。その後、送信機４２２ａ乃至４２２ｔからのＮＴ個の変調信号が、ＮＴ個のアンテナ４２４ａ乃至４２４ｔそれぞれから送信される。
【００６９】
受信機システム４５０では、送信された変調信号がＮＲ個のアンテナ４５２ａ乃至４５２ｒによって受信され、これらおのおののアンテナ４５２からの受信された信号が、それぞれの受信機（ＲＣＶＲ）４５４ａ乃至４５４ｒへ提供される。おのおのの受信機４５４は、受信したそれぞれの信号を調整（例えば、フィルタ、増幅、およびダウンコンバート）し、調整された信号をデジタル化して、サンプルが提供される。さらに、これらサンプルを処理して、対応する「受信された」シンボル・ストリームが提供される。
【００７０】
その後、ＲＸデータ・プロセッサ４６０が、ＮＲ個の受信機４５４からＮＲ個のシンボル・ストリームを受信し、これら受信したシンボル・ストリームを、特定の受信機処理技術に基づいて処理し、ＮＴ個の「検出された」シンボル・ストリームが提供される。その後、ＲＸデータ・プロセッサ４６０が、検出されたおのおののシンボル・ストリームを復調、デインタリーブ、および復号し、そのデータ・ストリームのトラフィック・データが復元される。ＲＸデータ・プロセッサ４６０による処理は、送信機システム４１０におけるＴＸ  ＭＩＭＯプロセッサ４２０およびＴＸデータ・プロセッサ４１４によって実行されるものに相補的である。
【００７１】
プロセッサ４７０は、どの事前符合化行列を使用すべきかを定期的に決定する（後述する）。プロセッサ４７０は、行列インデクス部とランク値部とを備える逆方向リンク・メッセージを規定する。
【００７２】
逆方向リンク・メッセージは、通信リンクおよび／または受信されたデータ・ストリームに関する様々なタイプの情報を備えうる。逆方向リンク・メッセージはその後、データ・ソース４３６からの多くのデータ・ストリームのトラフィック・データをも受信するＴＸデータ・プロセッサ４３８によって処理され、変調器４８０によって変調され、送信機４５４ａ乃至４５４ｒによって調整され、送信機システム４１０へ送り戻される。
【００７３】
送信機システム４１０では、受信機システム４５０からの変調信号がアンテナ４２４によって受信され、受信機４２２によって調整され、復調器４４０によって復調され、ＲＸデータ・プロセッサ４４２によって処理されて、受信機システム４５０によって送信された逆方向リンク・メッセージが抽出される。プロセッサ４３０は、ビームフォーミング重みを決定するためにどの事前符合化行列を使用すべきかを決定し、その後、抽出されたメッセージを処理する。
【００７４】
局面では、論理チャネルが、制御チャネルおよびトラフィック・チャネルに分類される。論理制御チャネルは、システム制御情報をブロードキャストするためのＤＬチャネルであるブロードキャスト制御チャネル（ＢＣＣＨ）を備える。また、ページング情報を転送するＤＬチャネルであるページング制御チャネル（ＰＣＣＨ）をも備える。また、１または幾つかのＭＴＣＨのための制御情報と、マルチメディア・ブロードキャストおよびマルチキャスト・サービス（ＭＢＭＳ）スケジューリングとのために使用されるポイント・トゥ・マルチポイントＤＬチャネルであるマルチキャスト制御チャネル（ＭＣＣＨ）をも備える。通常、ＲＲＣ接続を確立した後に、このチャネルは、ＭＢＭＳ（注：古いＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。局面において、論理トラフィック・チャネルは、ユーザ情報の送信のためのポイント・トゥ・ポイント双方向チャネルであり、１つのＵＥに専用である専用トラフィックチャネル（ＤＴＣＨ）を備える。さらに、ポイント・トゥ・マルチポイントＤＬチャネルのためであり、トラフィック・データを送信するためのマルチキャスト・トラフィック・チャネル（ＭＴＣＨ）。
【００７５】
局面では、輸送チャネルが、ＤＬとＵＬとに分類される。ＤＬ輸送チャネルは、ブロードキャスト・チャネル（ＢＣＨ）、ダウンリンク共有チャネル（ＤＬ−ＳＣＨ）、および、ＵＥの節電をサポートする（ＤＲＸサイクルがネットワークによってＵＥに示される）ためのページング・チャネル（ＰＣＨ）を備え、セル全体にわたってブロードキャストされ、他の制御／トラフィック・チャネルのために使用されるＰＨＹリソースへマップされる。ＵＬ輸送チャネルは、ランダム・アクセス・チャネル（ＲＡＣＨ）、アップリンク共有チャネル（ＵＬ−ＳＣＨ）、および複数のＰＨＹチャネルを備える。ＰＨＹチャネルは、ＤＬチャネルおよびＵＬチャネルのセットを備える。
【００７６】
ＤＬ  ＰＨＹチャネルは、以下を備える。  
物理ブロードキャスト・チャネル（ＰＢＣＨ）：  
＊  符合化されたＢＣＨ輸送ブロックが、４０ミリ秒時間間隔内の４つのサブフレームにマップされる。  
＊  ４０ミリ秒のタイミングは盲目的に検出される。つまり、４０ミリ秒のタイミングを示す明示的なシグナリングはない。  
＊  おのおののサブフレームは、自己復号可能であると仮定される。すなわち、十分良好なチャネル条件を仮定すると、ＢＣＨは、単一の受信から復号されうる。  
物理制御フォーマット・インジケータ・チャネル（ＰＣＦＩＣＨ）：  
＊  ＰＤＣＣＨのために使用されるＯＦＤＭシンボルの数についてＵＥに通知する。  ＊  すべてのサブフレームで送信される。  
物理ダウンリンク制御チャネル（ＰＤＣＣＨ）：  
＊  ＰＣＨおよびＤＬ−ＳＣＨのリソース割当、および、ＤＬ−ＳＣＨに関連するハイブリッドＡＲＱ情報についてＵＥに通知する。  
＊  アップリンク・スケジューリング許可を搬送する。  
物理ハイブリッドＡＲＱインジケータ・チャネル（ＰＨＩＣＨ）：  
＊  アップリンク送信に応答してハイブリッドＡＲＱ  ＡＣＫ／ＮＡＫを搬送する。  物理ダウンリンク共有チャネル（ＰＤＳＣＨ）：  
＊  ＤＬ−ＳＣＨおよびＰＣＨを搬送する。  
物理マルチキャスト・チャネル（ＰＭＣＨ）：  
＊  ＭＣＨを搬送する。  
物理アップリンク制御チャネル（ＰＵＣＣＨ）：  
＊  ダウンリンク送信に応答してハイブリッドＡＲＱ  ＡＣＫ／ＮＡＫを搬送する。  ＊  スケジューリング要求（ＳＲ）を搬送する。  
＊  ＣＱＩレポートを搬送する。  
物理アップリンク共有チャネル（ＰＵＳＣＨ）：  
＊  ＵＬ−ＳＣＨを搬送する。  
物理ランダム・アクセス・チャネル（ＰＲＡＣＨ）：  
＊  ランダム・アクセス・プリアンブルを搬送する。
【００７７】
局面では、単一キャリア波形の低いピーク対平均（ＰＡＲ）特性を確保するチャネル構造（すなわち、任意の時間において、チャネルは、周波数において隣接しているかあるいは一定間隔である）が提供される。
【００７８】
図１０では、アクセス・ノード６００は、ユーザ機器（ＵＥ）のためのノミナルＤＲＸサイクルをセットアップする、モジュール６０２として示す手段を含んでいる。アクセス・ノード６００は、ユーザ機器のフレキシブルなＤＲＸサイクル（例えば、オフ・パターン）をセットアップする、モジュール６０４として示される手段を含んでいる。アクセス・ノード６００は、フレキシブルなＤＲＸサイクルをＡＴがアクノレッジしたことを確認するための、モジュール６０６として示される手段を含んでいる。アクセス・ノード６００は、ＡＴによって暗黙的に放棄されたアップリンク・リソースを再割当するための、モジュール６０８として示される手段を含んでいる。アクセス・ノード６００は、非同期ランダム・アクセス・チャネル（ＲＡＣＨ）制御およびモニタリングのための、モジュール６１０として示される手段を含んでいる。アクセス・ノード６００は、アップリンク・コール・セットアップのための、モジュール６１２として示される手段を含んでいる。
【００７９】
図１１では、ユーザ機器７００は、アクセス・ノードによって、あるいはデフォルトとして指定されるノミナルＤＲＸサイクルを実行するための、モジュール７０２として示される手段を含んでいる。ユーザ機器７００は、アクセス・ノードによって指示された場合、フレキシブルなＤＲＸサイクル（例えば、オフ・パターン）を実行するための、モジュール７０４として示される手段を含んでいる。ユーザ機器７００は、フレキシブルなＤＲＸサイクルをアクセス・ノードへアクノレッジするための、モジュール７０６として示される手段を含んでいる。ユーザ機器７００は、同期およびクローズド・ループ電力制御を維持するために、ＤＲＸインジケータ・チャネル（ＤＩＣＨ）およびＰＵＣＣＨで送信するための、モジュール７０８として示される手段を含んでいる。このモジュール７０８はまた、フレキシブルな不連続送信（ＤＴＸ）中、送信電力を低減するだけのために、ＤＲＸインジケータ・チャネル（ＤＩＣＨ）を選択的に通信することをも含みうる。ユーザ機器７００は、非同期ＲＡＣＨアクセスのための、モジュール７１０として示される手段を含んでいる。ユーザ機器７００は、ＲＡＣＨによってセットアップされたアップリンク・コール通信のための、モジュール７１２として示される手段を含んでいる。
【００８０】
図１２では、ＤＲＸパターン８００が、連続受信に移行することによって、ＤＲＸ（すなわち、制御チャネルにおける送信）中、データを受信することに応答しているＵＥを示している。例示的なパターン８００では、３ミリ秒時間間隔で配置された１ミリ秒の持続時間の８つのＨＡＲＱインタレースＲｘオン・パルス８０２の後にＤＲＸ期間８０４が続く。１番目のパルスは、「第１のＴｘ第ｎパケット」と示され、その後、再送信（ＲｅＴｘ）第（ｎ−１）パケット、ＲｅＴｘ第ｎパケット、およびＲｅＴｘ第（ｎ＋１）パケットが続く。最後のパケットがＵＥによって受信された場合、注釈が付けられ、４つのパルスについて、非アクティブ・タイマが続き、その後、ＤＲＸパルス８０４が続く。これら４つのパルスは、ＲｅＴｘ第（ｎ＋２）パケットとして示されている１番目と、第１のＴｘ第（ｎ＋２）パケットとラベルされた４番目とを含む。しかしながら、そのような実施は、例えばＶｏＩＰのようなあるタイプの通信については望ましくないかもしれない。特に、そのような低データ・レート・ソースは、一般に単一のＨＡＲＱプロセスのみでスケジュールされうる。ＤＲＸモードに復帰するために利用することができるタイマ値は、２つのＶｏＩＰパケット間の相互到着時間よりも恐らく長くなり、実質的にバッテリ節電モードをディセーブルするだろう。さらに、ＵＥは、アクティブであり続けること、および、たとえ１つのＨＡＲＱプロセスのみでスケジュールされていても、すべてのＨＡＲＱプロセスにおける受信のための準備をすることが要求される。
【００８１】
図１３では、ＤＲＸパターン８５０が有利なことに、１つのＨＡＲＱプロセスのみでスケジュールされる利点を利用する。例示された８つのＨＡＲＱインタレース受信パルス８５２の後、ＤＲＸ期間８５４が続く。１番目のＴｘ第ｎパケットとＲｅＴｘ第（ｎ−１）パケットとの後、３番目および４番目のＲｘオン・パルスが、ＲｅＴｘ第（ｎ−１）パケットおよび第ｎパケットとしてそれぞれ示され、その後、次の最初のＴｘまで正しい復号がスリープする。次の３つのＨＡＲＱ時間間隔中のＲｘオフの後、次のＲｘオン・パルスが、１番目のＴｘ第（ｎ＋２）パケットとして示される。
【００８２】
図１４では、ダイアグラム９００は、ＵＥは、ＤＲＸモード９０８に埋め込まれた「オン持続期間」９０６中のノミナルなマイクロスリープ・モード９０４と同様に使用される延長マイクロスリープ・モード９０２によって、更なるバッテリ電力節電の可能性を最大にすることを示す。ｅＮｏｄｅ  Ｂは、１ミリ秒のＲｘオンおよび３ミリ秒のＲｘオフとからなる図１４のノミナルのマイクロスリープ・パターンから、図１４の延長マイクロスリープを構成するために、ＭＡＣシグナリングを利用する。さらに、ＤＲＸモードを自己開始するために、データが、予め定められた時間、非ＤＲＸ中に受信されない場合、ＵＥは非アクティビティ・タイマを起動する。物理レイヤは、ノミナルのマイクロスリープ・モードをサポートする。ここでは、ＵＥが、指示されたＬ１／Ｌ２制御チャネルを、最初の３つのＯＦＤＭシンボルにおいて発見しない場合、ＵＥが１ミリ秒のＴＴＩの後半においてスリープに入る。これは、連続受信と称されうる。この延長マイクロスリープ・モード９０２は、このマイクロスリープを１  ＴＴＩよりも延長する。
【００８３】
上述したものは、様々な局面の例を含む。もちろん、さまざまな局面を記述する目的で、構成要素および方法論の考えられる全ての組み合わせを記述することは可能ではないが、当業者であれば、さらなる多くの組み合わせおよび置き換えが可能であることを認識することができる。したがって、主題となる仕様は、特許請求の範囲の精神およびスコープ内にあるそのような全ての変形、修正、および変更を含むことが意図されている。
【００８４】
特に、および、上述した構成要素、デバイス、回路、システム等によって実行される様々な機能に関し、そのような構成要素を記述するために使用される（「手段」に対する参照を含む）用語は、もしも別に示されていなければ、開示された構造にたとえ構成的に等価ではなくても、本明細書に記載した典型的な局面における機能を実行する、（例えば、機能的に等価な）記載した構成要素のうちの指定された機能を実行する任意の構成要素に対応しているものと意図される。この点において、様々な局面は、さまざまな方法のイベントおよび／または動作を実行するためのコンピュータ実行可能命令群を有するコンピュータ読取可能媒体のみならず、システムをも含むことが認識されるだろう。
【００８５】
さらに、特定の機能が、幾つかの実施のうちの１つのみに関して開示されているが、そのような機能は、任意の所与あるいは特定のアプリケーションのために設計され有利となりうるので、他の機能のうちの１または複数の他の機能と組み合わされうる。用語「含む」、「含んでいる」、およびそれらの変形例が、詳細説明または特許請求の範囲のうちの何れかで用いられている限り、これらの用語は、用語「備える」と同様に、包括的であることが意図される。さらに、詳細説明または特許請求の範囲の何れかで使用されるような用語「または」は、「排他的論理和ではない」ことが意図される。
【００８６】
さらに、認識されるように、開示されたシステムおよび方法のうちの幾つかの部分は、人工知能、機械学習、あるいは、知識または規則ベースの構成要素、部分構成要素、プロセス、手段、方法論、または（例えば、サポート・ベクトル機械、ニューラル・ネットワーク、エキスパート・システム、Ｂａｙｅｓｉａｎ  ｂｅｌｉｅｆネットワーク、ファジー論理、データ融合エンジン、クラシファイヤ等のような）メカニズムを含んでいるか、あるいはこれらから構成されうる。そのような構成要素は、とりわけ、システムおよび方法の一部を、効率的および知的であるのみならず、より適応的にするために、あるメカニズムまたはそれによって実行されるプロセスを自動化することができる。限定ではなく一例として、次世代ＲＡＮ（例えば、アクセス・ポイント、ｅＮｏｄｅ  Ｂ）は、フレキシブルなＤＴＸ−ＤＲＸのためのデータ・トラフィック条件および機会の推論または予測を行い、類似条件において同じまたは同等の機械を用い、前のインタラクションに基づいて、ＵＥによるＣＱＩリソースの暗黙的な放棄を決定する。
【００８７】
上述した典型的なシステムを考慮して、開示された主題にしたがって実施される方法論が、幾つかのフロー図を参照して説明された。説明を単純にする目的ために、これら方法論は、一連のブロックとして示され説明されているが、幾つかのブロックが、本明細書で示され説明されたものとは異なる順序で引き起こったり、および／または、他のブロックと同時に起こりうるので、特許請求される主題は、ブロックの順序によって限定されないことが理解され認識されるべきである。さらに、本明細書に記載の方法論を実施するために、例示された全てのブロックが必要とされる訳ではない。さらに、本明細書で開示された方法論は、これらの方法論のコンピュータへの伝送および転送を容易にする製造物品上に格納されることが可能であることがさらに認識されるべきである。本明細書で使用される製造物品という用語は、あらゆるコンピュータ読取可能デバイス、キャリア、または媒体からアクセスすることが可能なコンピュータ・プログラムを包含することが意図されている。
【００８８】
本明細書において参照によってその全体あるいはその一部が組み込まれうるあらゆる特許、公開文献、あるいはその他の開示材料は、組み込まれた材料が既存の定義、ステートメント、あるいは本開示で述べられているその他の開示材料とコンフリクトしない限りにおいてのみ組み込まれることが認識されるべきである。それゆえ、本明細書に明示的に述べられた開示は、本明細書において参照によって組み込まれたコンフリクトするあらゆる材料に取って代わる。本明細書において参照によって組み込まれていると言われるが、既存の定義、ステートメント、あるいは本明細書で述べられたその他の開示材料とコンフリクトする任意の材料またはその一部は、組み込まれた材料と既存の開示材料との間でコンフリクトが生じないという点においてのみ組み込まれるだろう。
【図１】
2014014110.tif 000003
【図２】
2014014110.tif 000004
【図３】
2014014110.tif 000005
【図４】
2014014110.tif 000006
【図５】
2014014110.tif 000007
【図６】
2014014110.tif 000008
【図７】
2014014110.tif 000009
【図８】
2014014110.tif 000010
【図９】
2014014110.tif 000011
【図１０】
2014014110.tif 000012
【図１１】
2014014110.tif 000013
【図１２】
2014014110.tif 000014
【図１３】
2014014110.tif 000015
【図１４】
2014014110.tif 000016
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
ユーザ機器の不連続な通信を変化させることによって、電力消費を低減する方法であって、
基地局から、ユーザ機器に対するマイクロスリープ・スケジューリングのための第１の時間間隔のインジケーションを送信することと、
前記ユーザ機器にマイクロスリープに入ることを命じることと、
第２の時間間隔中に前記ユーザ機器と通信することと、なお、前記第２の時間間隔は、前記第１の時間間隔後、前記ユーザ機器によって戻される、を備える方法。
【請求項２】
前記第１の時間間隔は、前記第２の時間間隔よりも短い、請求項１に記載の方法。
【請求項３】
前記第１の時間間隔にしたがって、チャネルリソースをスケジュールすること、をさらに備える請求項１に記載の方法。
【請求項４】
前記第１の時間間隔後の前記第２の時間間隔にしたがって、チャネルリソースをスケジュールすること、をさらに備える請求項１に記載の方法。
【請求項５】
前記第１の時間間隔を、物理ダウンリンク制御チャネル（ＰＤＣＣＨ）で前記ユーザ機器へ送信すること、をさらに備える請求項１に記載の方法。
【請求項６】
前記ユーザ機器に対するダウンリンク送信について、オープン・ループ電力制御を実行することと、
不連続送信中に、縮小されたレートで、前記ユーザ機器からのチャネル品質レポートを受信することと、
をさらに備える請求項１に記載の方法。
【請求項７】
ユーザ機器の不連続な通信を変化させることによって、電力消費を低減するためのプログラムであって、
基地局から、ユーザ機器に対するマイクロスリープ・スケジューリングのための第１の時間間隔のインジケーションを送信する手順と、
前記ユーザ機器にマイクロスリープに入ることを命じる手順と、
第２の時間間隔中に前記ユーザ機器と通信する手順と、なお、前記第２の時間間隔は、前記第１の時間間隔後、前記ユーザ機器によって戻される、
をコンピュータに実行させるためのプログラム。
【請求項８】
ユーザ機器の不連続な通信を変化させることによって、電力消費を低減するための装置であって、
基地局から、ユーザ機器に対するマイクロスリープ・スケジューリングのための第１の時間間隔のインジケーションを送信するように；
前記ユーザ機器にマイクロスリープに入ることを命じるように；
第２の時間間隔中に前記ユーザ機器と通信するように、なお、前記第２の時間間隔は、前記第１の時間間隔後、前記ユーザ機器によって戻される；
構成された処理システム、
を備える装置。
【請求項９】
前記処理システムは、前記第１の時間間隔後の前記第２の時間間隔にしたがって、チャネルリソースをスケジュールするようにさらに構成される、請求項８に記載の装置。
【請求項１０】
前記処理システムは、前記第１の時間間隔を、物理ダウンリンク制御チャネル（ＰＤＣＣＨ）で前記ユーザ機器へ送信するようにさらに構成される、請求項８に記載の装置。
【請求項１１】
前記処理システムは、
前記ユーザ機器に対するダウンリンク送信について、オープン・ループ電力制御を実行するように、
不連続送信中に、縮小されたレートで、前記ユーザ機器からのチャネル品質レポートを受信するように、
さらに構成される請求項８に記載の装置。
【請求項１２】
ユーザ機器の不連続な通信を変化させることによって、電力消費を低減する装置であって、
基地局から、ユーザ機器に対するマイクロスリープ・スケジューリングのための第１の時間間隔のインジケーションを送信するための手段と、
前記ユーザ機器にマイクロスリープに入ることを命じるための手段と、
第２の時間間隔中に前記ユーザ機器と通信するための手段と、なお、前記第２の時間間隔は、前記第１の時間間隔後、前記ユーザ機器によって戻される、
を備える装置。
【請求項１３】
ユーザ機器の不連続な通信を変化させることによって、電力消費を低減する方法であって、
ユーザ機器でマイクロスリープ・スケジューリングのための第１の時間間隔のインジケーションを受信することと、
低いデータ・レート、または基地局からのマイクロスリープに入るコマンドの受信、のうちの１つに応じて、前記第１の時間間隔にしたがって、第１のマイクロスリープ間隔に入ることと、
前記第１の時間間隔後の第２の時間間隔にしたがって第２のマイクロスリープ間隔に入ることと、
を備える方法。
【請求項１４】
前記第２のマイクロスリープ間隔に入ることは、前記第１のマイクロスリープ間隔後、自動的に行われる、請求項１３に記載の方法。
【請求項１５】
前記第１のマイクロスリープ間隔は、前記第２のマイクロスリープ間隔よりも短い、請求項１３に記載の方法。
【請求項１６】
前記第１のマイクロスリープ間隔にしたがって、チャネルリソースをモニタすること、をさらに備える請求項１３に記載の方法。
【請求項１７】
前記第１のマイクロスリープ間隔後、前記第２のマイクロスリープ間隔にしたがって、チャネルリソースをモニタすること、をさらに備える請求項１３に記載の方法。
【請求項１８】
不連続送信中にチャネル品質レポートのレートを縮小すること、をさらに備える請求項１３に記載の方法。
【請求項１９】
ユーザ機器の不連続な通信を変化させることによって、電力消費を低減するためのプログラムであって、
ユーザ機器でマイクロスリープ・スケジューリングのための第１の時間間隔を受信する手順と、
条件の１つに応じ、データ状態に基づいて、前記第１の時間間隔にしたがって、第１のマイクロスリープ間隔に入る手順と、なお、前記条件は、低いデータ・レート、またはマイクロスリープに入るコマンドの受信、のうちの１つである、
前記第１のマイクロスリープ間隔後の第２の時間間隔にしたがって第２のマイクロスリープ間隔に入る手順と、
をコンピュータに実行させるためのプログラム。
【請求項２０】
ユーザ機器の不連続な通信を変化させることによって、電力消費を低減するための装置であって、
ユーザ機器でマイクロスリープ・スケジューリングのための第１の時間間隔を受信するように、
条件の１つに応じ、データ状態に基づいて、前記第１の時間間隔にしたがって、第１のマイクロスリープ間隔に入るように、なお、前記条件は、低いデータ・レート、またはマイクロスリープに入るコマンドの受信、のうちの１つである、
前記第１のマイクロスリープ間隔後の第２の時間間隔にしたがって第２のマイクロスリープ間隔に入るように、
構成された処理システム、
を備える装置。
【請求項２１】
前記装置は、前記第１のマイクロスリープ間隔後、自動的に前記第２のマイクロスリープ間隔に入る、請求項２０に記載の装置。
【請求項２２】
前記プロセッサは、前記第１のマイクロスリープ間隔後、前記第２の間隔にしたがって、チャネルリソースをモニタするようにさらに構成される、請求項２０に記載の装置。
【請求項２３】
前記プロセッサは、不連続送信中にチャネル品質レポートのレートを縮小するようにさらに構成される、請求項２０に記載の装置。
【請求項２４】
ユーザ機器の不連続な通信を変化させることによって、電力消費を低減するための装置であって、
ユーザ機器でマイクロスリープ・スケジューリングのための第１の時間間隔を受信するための手段と、
条件の１つに応じ、データ状態に基づいて、前記第１の時間間隔にしたがって、第１のマイクロスリープ間隔に入るための手段と、なお、前記条件は、低いデータ・レート、またはマイクロスリープに入るコマンドの受信、のうちの１つである、
前記第１のマイクロスリープ間隔後の第２の時間間隔にしたがって第２のマイクロスリープ間隔に入るための手段と、
を備える装置。
【手続補正２】
【補正対象書類名】明細書
【補正対象項目名】００８８
【補正方法】変更
【補正の内容】
【００８８】
本明細書において参照によってその全体あるいはその一部が組み込まれうるあらゆる特許、公開文献、あるいはその他の開示材料は、組み込まれた材料が既存の定義、ステートメント、あるいは本開示で述べられているその他の開示材料とコンフリクトしない限りにおいてのみ組み込まれることが認識されるべきである。それゆえ、本明細書に明示的に述べられた開示は、本明細書において参照によって組み込まれたコンフリクトするあらゆる材料に取って代わる。本明細書において参照によって組み込まれていると言われるが、既存の定義、ステートメント、あるいは本明細書で述べられたその他の開示材料とコンフリクトする任意の材料またはその一部は、組み込まれた材料と既存の開示材料との間でコンフリクトが生じないという点においてのみ組み込まれるだろう。
以下に本件出願当初の特許請求の範囲を付記する。
［Ｃ１］
ベース・ノードとのダウンリンク・チャネルでの受信またはアップリンク・チャネルでの送信からなるユーザ機器の不連続な通信を変化させることによって、電力消費を低減する方法であって、
ダウンリンク・チャネルにおいて、ユーザ機器の不連続な通信スケジュールのために、変化された時間間隔を指定することと、
前記変化された時間間隔にしたがって、アップリンク・チャネル・リソースをスケジュールすることと、
前記変化された時間間隔後、前記ユーザ機器によって自動的に戻されるノミナルの時間間隔で、前記ユーザ機器との通信に参加することと
を備える方法。
［Ｃ２］
前記変化された時間間隔は、ノミナルの不連続な受信サイクルよりも長い時間間隔である［Ｃ１］に記載の方法。
［Ｃ３］
前記変化された時間間隔は、前記ノミナルの不連続な受信サイクルの倍数である［Ｃ２］に記載の方法。
［Ｃ４］
前記ユーザ機器による不連続な送信は、不連続な受信とともに変化される［Ｃ３］に記載の方法。
［Ｃ５］
低いデータ・レート・ダウンリンク・データ送信に応答して、延長されたマイクロスリープを命じ、前記ユーザ機器がデータ送信を復号すると、冗長な再送信を受信することなく、前記延長されたマイクロスリープに入らせることと、
インタリーブされた自動反復要求ダウンリンクの送信および再送信からなるハイブリッドなシーケンスを前記ユーザ機器に送信することと
をさらに備える［Ｃ１］に記載の方法。
［Ｃ６］
フレキシブルなＤＲＸのために構成されていないユーザ機器からのラジオ・リソース制御（ＲＲＣ）シグナリングをモニタすることによって、進行中のノミナルＤＲＸを認識することをさらに備える［Ｃ１］に記載の方法。
［Ｃ７］
前記フレキシブルなＤＲＸの時間間隔を、物理ダウンリンク制御チャネル（ＰＤＣＣＨ）で前記ユーザ機器へ送信することをさらに備える［Ｃ１］に記載の方法。
［Ｃ８］
アップロード・リファレンス信号時間間隔に関するフレキシブルなＤＲＸ時間間隔と、ページング・インジケーション・チャネル（ＰＩＣＨ）時間間隔および物理アップリンク制御チャネル（ＰＵＣＣＨ）時間間隔のためのオフセットとを定義することをさらに備える［Ｃ１］に記載の方法。
［Ｃ９］
フレキシブルなＤＲＸ中、チャネル品質インジケーションを稀にしかレポートしないユーザ機器に対するダウンリンク送信について、オープン・ループ電力制御を実行することをさらに備える［Ｃ１］に記載の方法。
［Ｃ１０］
ベース・ノードとのダウンリンク・チャネルでの受信またはアップリンク・チャネルでの送信からなるユーザ機器の不連続な通信を変化させることによって、電力消費を低減するように構成された少なくとも１つのプロセッサであって、
ダウンリンク・チャネルにおいて、ユーザ機器の不連続な通信スケジュールのために、変化された時間間隔を指定する第１のモジュールと、
前記変化された時間間隔にしたがって、アップリンク・チャネル・リソースをスケジュールする第２のモジュールと、
前記変化された時間間隔後、前記ユーザ機器によって自動的に戻されるノミナルの時間間隔で、前記ユーザ機器との通信に参加する第３のモジュールと
を備える少なくとも１つのプロセッサ。
［Ｃ１１］
ベース・ノードとのダウンリンク・チャネルでの受信またはアップリンク・チャネルでの送信からなるユーザ機器の不連続な通信を変化させることによって、電力消費を低減するためのコンピュータ・プログラム製品であって、
コンピュータに、ダウンリンク・チャネルにおいて、ユーザ機器の不連続な通信スケジュールのために、変化された時間間隔を指定させるように構成された第１のコード・セットと、
前記コンピュータに、前記変化された時間間隔にしたがって、アップリンク・チャネル・リソースをスケジュールさせるように構成された第２のコード・セットと、
前記コンピュータに、前記変化された時間間隔後、前記ユーザ機器によって自動的に戻されるノミナルの時間間隔で、前記ユーザ機器との通信に参加させるように構成された第３のコード・セットと
を備えるコンピュータ読取可能媒体を備えるコンピュータ・プログラム製品。
［Ｃ１２］
ベース・ノードとのダウンリンク・チャネルでの受信またはアップリンク・チャネルでの送信からなるユーザ機器の不連続な通信を変化させることによって、電力消費を低減する装置であって、
ダウンリンク・チャネルにおいて、ユーザ機器の不連続な通信スケジュールのために、変化された時間間隔を指定する手段と、
前記変化された時間間隔にしたがって、アップリンク・チャネル・リソースをスケジュールする手段と、
前記変化された時間間隔後、前記ユーザ機器によって自動的に戻されるノミナルの時間間隔で、前記ユーザ機器との通信に参加する手段と
を備える装置。
［Ｃ１３］
ベース・ノードとのダウンリンク・チャネルでの受信またはアップリンク・チャネルでの送信からなるユーザ機器の不連続な通信を変化させることによって、電力消費を低減する装置であって、
ダウンリンク・ラジオ送信機と、
アップリンク・ラジオ受信機と、
ダウンリンク・チャネルにおいて、ユーザ機器の不連続な通信スケジュールのために、変化された時間間隔を指定し、前記変化された時間間隔にしたがって、アップリンク・チャネル・リソースをスケジュールし、前記変化された時間間隔後、前記ユーザ機器によって自動的に戻されるノミナルの時間間隔で、前記ユーザ機器との通信に参加するスケジューリング構成要素と
を備える装置。
［Ｃ１４］
前記変化された時間間隔は、ノミナルの不連続な受信サイクルよりも長い時間間隔である［Ｃ１３］に記載の装置。
［Ｃ１５］
前記変化された時間間隔は、前記ノミナルの不連続な受信サイクルの倍数である［Ｃ１４］に記載の装置。
［Ｃ１６］
前記ユーザ機器による不連続な送信は、不連続な受信とともに変化される［Ｃ１５］に記載の装置。
［Ｃ１７］
前記スケジューリング構成要素は、
前記ダウンリンク・ラジオ送信機を用いて、低いデータ・レート・ダウンリンク・データ送信に応答して、延長されたマイクロスリープを命じ、前記ユーザ機器がデータ送信を復号すると、冗長な再送信を受信することなく、前記延長されたマイクロスリープに入らせ、インタリーブされた自動反復要求ダウンリンクの送信および再送信からなるハイブリッドなシーケンスを前記ユーザ機器に送信する［Ｃ１３］に記載の装置。
［Ｃ１８］
前記スケジューリング構成要素は、
フレキシブルなＤＲＸのために構成されていないユーザ機器からのラジオ・リソース制御（ＲＲＣ）シグナリングを前記アップリンク・ラジオ受信機でモニタすることによって、進行中のノミナルＤＲＸを認識する［Ｃ１３］に記載の装置。
［Ｃ１９］
前記ダウンリンク・ラジオ送信機は、前記フレキシブルなＤＲＸの時間間隔を、物理ダウンリンク制御チャネル（ＰＤＣＣＨ）で前記ユーザ機器へ送信する［Ｃ１３］に記載の装置。
［Ｃ２０］
前記スケジューリング構成要素は、
アップロード・リファレンス信号時間間隔に関するフレキシブルなＤＲＸ時間間隔と、ページング・インジケーション・チャネル（ＰＩＣＨ）時間間隔および物理アップリンク制御チャネル（ＰＵＣＣＨ）時間間隔のためのオフセットとを定義する［Ｃ１３］に記載の装置。
［Ｃ２１］
フレキシブルなＤＲＸ中、チャネル品質インジケーションを稀にしかレポートしないユーザ機器に対するダウンリンク送信について、前記ダウンリンク・ラジオ送信機においてオープン・ループ電力制御を実行するように構成された送信電力制御をさらに備える［Ｃ１３］に記載の装置。
［Ｃ２２］
ベース・ノードとのダウンリンク・チャネルでの受信またはアップリンク・チャネルでの送信からなるユーザ機器の不連続な通信を変化させることによって、電力消費を低減する方法であって、
ダウンリンク・チャネルにおいて、ユーザ機器の不連続な通信スケジュールのために、変化された時間間隔を受信することと、
前記変化された時間間隔にしたがって、アップリンク・チャネル・リソースをスケジュールすることと、
前記変化された時間間隔後、ノミナルの時間間隔に自動的に戻すことと
を備える方法。
［Ｃ２３］
前記変化された時間間隔は、ノミナルの不連続な受信サイクルよりも長い時間間隔である［Ｃ２２］に記載の方法。
［Ｃ２４］
前記変化された時間間隔は、前記ノミナルの不連続な受信サイクルの倍数である［Ｃ２３］に記載の方法。
［Ｃ２５］
前記ユーザ機器による不連続な送信は、不連続な受信とともに変化される［Ｃ２４］に記載の方法。
［Ｃ２６］
低いデータ・レート・ダウンリンク・データ送信に応答して、延長されたマイクロスリープを求める命令を受信することと、
インタリーブされた自動反復要求ダウンリンクの送信および再送信からなるハイブリッドなシーケンスを前記ユーザ機器によって受信することと、
データ送信を復号すると、冗長な再送信を受信することなく、延長されたマイクロスリープに入ることと
をさらに備える［Ｃ２２］に記載の方法。
［Ｃ２７］
フレキシブルなＤＲＸのために構成されていない場合、ラジオ・リソース制御（ＲＲＣ）シグナリングを用いて、前記変化された時間間隔に従っていないことを示す［Ｃ２２］に記載の方法。
［Ｃ２８］
前記ユーザ機器へのフレキシブルなＤＲＸの時間間隔を、物理ダウンリンク制御チャネル（ＰＤＣＣＨ）によって受信することをさらに備える［Ｃ２２］に記載の方法。
［Ｃ２９］
アップロード・リファレンス信号時間間隔に関するフレキシブルな時間間隔と、ページング・インジケーション・チャネル（ＰＩＣＨ）時間間隔および物理アップリンク制御チャネル（ＰＵＣＣＨ）時間間隔のためのオフセットとに対する定義を受信すること
をさらに備える［Ｃ２２］に記載の方法。
［Ｃ３０］
フレキシブルなＤＲＸ中、チャネル品質インジケーションを稀にしかレポートしないユーザ機器に対するダウンリンク送信で、オープン・ループ電力制御を受信することをさらに備える［Ｃ２２］に記載の方法。
［Ｃ３１］
ベース・ノードとのダウンリンク・チャネルでの受信またはアップリンク・チャネルでの送信からなるユーザ機器の不連続な通信を変化させることによって、電力消費を低減するように構成された少なくとも１つのプロセッサであって、
ダウンリンク・チャネルにおいて、ユーザ機器の不連続な通信スケジュールのために、変化された時間間隔を受信する第１のモジュールと、
前記変化された時間間隔にしたがって、アップリンク・チャネル・リソースをスケジュールする第２のモジュールと、
前記変化された時間間隔後、ノミナルの時間間隔に自動的に戻す第３のモジュールとを備える少なくとも１つのプロセッサ。
［Ｃ３２］
ベース・ノードとのダウンリンク・チャネルでの受信またはアップリンク・チャネルでの送信からなるユーザ機器の不連続な通信を変化させることによって、電力消費を低減するコンピュータ・プログラム製品であって、
コンピュータに対して、ダウンリンク・チャネルにおいて、ユーザ機器の不連続な通信スケジュールのために、変化された時間間隔を受信させるように構成された第１のコード・セットと、
前記コンピュータに対して、前記変化された時間間隔にしたがって、アップリンク・チャネル・リソースをスケジュールさせるように構成された第２のコード・セットと、
前記コンピュータに対して、前記変化された時間間隔後、ノミナルの時間間隔に自動的に戻させるように構成された第３のコード・セットと
を備えるコンピュータ読取可能媒体を備えるコンピュータ・プログラム製品。
［Ｃ３３］
ベース・ノードとのダウンリンク・チャネルでの受信またはアップリンク・チャネルでの送信からなるユーザ機器の不連続な通信を変化させることによって、電力消費を低減する装置であって、
ダウンリンク・チャネルにおいて、ユーザ機器の不連続な通信スケジュールのために、変化された時間間隔を受信する手段と、
前記変化された時間間隔にしたがって、アップリンク・チャネル・リソースをスケジュールする手段と、
前記変化された時間間隔後、ノミナルの時間間隔に自動的に戻す手段と
を備える装置。
［Ｃ３４］
ベース・ノードとのダウンリンク・チャネルでの受信またはアップリンク・チャネルでの送信からなるユーザ機器の不連続な通信を変化させることによって、電力消費を低減する装置であって、
アップリンク・ラジオ送信機と、
ダウンリンク・ラジオ受信機と、
ダウンリンク・チャネルにおいて、ユーザ機器の不連続な通信スケジュールのために、変化された時間間隔を受信し、前記変化された時間間隔にしたがって、アップリンク・チャネル・リソースをスケジュールし、前記変化された時間間隔後、前記ユーザ機器によって自動的に戻されるノミナルの時間間隔で、前記ベース・ノードとの通信に参加するスケジューリング構成要素と
を備える装置。
［Ｃ３５］
前記変化された時間間隔は、ノミナルの不連続な受信サイクルよりも長い間隔である［Ｃ３４］に記載の装置。
［Ｃ３６］
前記変化された時間間隔は、前記ノミナルの不連続な受信サイクルの倍数である［Ｃ３５］に記載の装置。
［Ｃ３７］
前記ユーザ機器による不連続な送信は、不連続な受信とともに変化される［Ｃ３６］に記載の装置。
［Ｃ３８］
前記ダウンリンク・ラジオ受信機は、
低いデータ・レート・ダウンリンク・データ送信に応答して、延長されたマイクロスリープを求める命令を受信し、インタリーブされた自動反復要求ダウンリンクの送信および再送信からなるハイブリッドなシーケンスの前記ユーザ機器によって受信し、前記スケジューリング構成要素は、データ送信を復号すると、冗長な再送信を受信することなく、延長されたマイクロスリープに入る［Ｃ３４］に記載の装置。
［Ｃ３９］
前記フレキシブルなＤＲＸのために構成されていない場合、ラジオ・リソース制御（ＲＲＣ）シグナリングを用いて、前記変化された時間間隔に従っていないことを示す［Ｃ３４］に記載の装置。
［Ｃ４０］
前記ダウンリンク・ラジオ受信機は、前記ユーザ機器への前記フレキシブルなＤＲＸの時間間隔を物理ダウンリンク制御チャネル（ＰＤＣＣＨ）で受信する［Ｃ３４］に記載の装置。
［Ｃ４１］
前記ダウンリンク・ラジオ受信機は、
アップロード・リファレンス信号時間間隔に関するフレキシブルな時間間隔と、ページング・インジケーション・チャネル（ＰＩＣＨ）時間間隔および物理アップリンク制御チャネル（ＰＵＣＣＨ）時間間隔のためのオフセットとに対する定義を受信する
［Ｃ３４］に記載の装置。
［Ｃ４２］
前記ダウンリンク・ラジオ受信機は、
前記ユーザ機器へのダウンリンク送信でオープン・ループ電力制御を受信し、スケジューリング構成要素は、フレキシブルなＤＲＸ中、チャネル品質インジケーションを稀にしかレポートしないアップリンク・ラジオ送信機を利用する［Ｃ２２］に記載の装置。